(57)【要約】【課題】基板上に列設された複数の発光素子からの光を被照射体の光照射面に向けて照射する照明装置であって、当該照明装置の構成を大幅に変更することなく、一般に市販されている発光素子を広範囲な輝度ランクにわたって利用でき、これにより低コスト化が実現された発光素子を用いることができる照明装置、画像読取装置及び画像形成装置並びに基板を提供する。【解決手段】基板２１３上に列設された複数の発光素子２１２，…からの光を被照射体Ｇの光照射面Ｇｄに向けて照射する照明装置２１０は、複数の発光素子２１２，…が、発光する光の輝度に対して予め設定された複数の輝度ランクＲ１，…，Ｒｎにランク付けされており、輝度ランクＲ１，…，Ｒｎに基づき、光軸距離Ｈと副走査方向Ｙの光照射位置とのうち少なくとも一方を設定できるように、発光素子２１２，…を配置可能な構成とされている。【選択図】図８
2011034848.tif 000002
【特許請求の範囲】
【請求項１】
基板上に列設された複数の発光素子からの光を被照射体の光照射面に向けて照射する照明装置であって、
前記複数の発光素子は、発光する光の輝度に対して予め設定された複数の輝度ランクにランク付けされており、
前記輝度ランクに基づき、前記被照射体への光軸距離と前記発光素子の列設方向に対して交差する方向の光照射位置とのうち少なくとも一方を設定できるように、前記発光素子を配置可能な構成とされていることを特徴とする照明装置。
【請求項２】
請求項１に記載の照明装置であって、
前記基板は、前記輝度ランクに基づき前記発光素子を配置可能な構成とされていることを特徴とする照明装置。
【請求項３】
請求項２に記載の照明装置であって、
前記基板には、前記発光素子を配置するための配置パターンを前記発光素子の列設方向に沿ってそれぞれ配置した複数の配置パターン列が前記列設方向に交差する方向に沿って形成されており、
前記複数の配置パターン列のうち、前記輝度ランクに基づき設定された配置パターン列に該輝度ランクの発光素子が配置されていることを特徴とする照明装置。
【請求項４】
請求項２に記載の照明装置であって、
互いに異なる厚みの複数種類の基板のうち、前記輝度ランクに基づき設定された厚みの基板に該輝度ランクの発光素子が配置されていることを特徴とする照明装置。
【請求項５】
請求項１から請求項４までのうち何れか一つに記載の照明装置であって、
前記複数の発光素子のうち、前記輝度ランクの低い発光素子は、前記輝度ランクの高い発光素子よりも、前記被照射体に近い位置に配置されていることを特徴とする照明装置。
【請求項６】
請求項１から請求項５までのうち何れか一つに記載の照明装置であって、
前記複数の発光素子は、前記被照射体からの反射光を通過させるためのスリットに沿って列設されており、前記スリットを基準にして、前記スリットの短手方向の一方側に列設された複数の第１発光素子からなる第１発光素子列と、前記スリットの短手方向の他方側に列設された複数の第２発光素子からなる第２発光素子列とで構成されていることを特徴とする照明装置。
【請求項７】
請求項６に記載の照明装置であって、
前記被照射体を原稿として、原稿載置台に載置された原稿の画像を主走査方向及び副走査方向に走査して読み取る画像読取装置に備えられ、
前記スリットは、前記主走査方向に沿って配置されており、
当該照明装置は、原稿の画像を読み取るにあたり、前記原稿載置台に載置された原稿に対して前記副走査方向の一方側へ移動される走査装置であり、
前記第１発光素子列及び前記第２発光素子列のうち、前記副走査方向の一方側へ向かう方向において、上流側の発光素子列は、該上流側の発光素子列による原稿の光照射面での照度が下流側の発光素子列による原稿の光照射面での照度よりも大きくされていることを特徴とする照明装置。
【請求項８】
請求項１から請求項７までの何れか一つに記載の照明装置であって、
前記複数の発光素子の列設方向における発光素子ピッチをＰ、前記複数の発光素子の前記被照射体への光軸距離をＨとすると、
前記発光素子ピッチＰ及び前記光軸距離Ｈは、
Ｐ／Ｈ≦０．８３
の関係を満たすことを特徴とする照明装置。
【請求項９】
請求項８に記載の照明装置であって、
前記発光素子ピッチＰ及び前記光軸距離Ｈは、
Ｐ／Ｈ≦０．７１
の関係を満たすことを特徴とする照明装置。
【請求項１０】
請求項１から請求項９までのうち何れか一つに記載の照明装置を備えていることを特徴とする画像読取装置。
【請求項１１】
請求項１０に記載の画像読取装置を備えていることを特徴とする画像形成装置。
【請求項１２】
請求項３に記載の照明装置に備えられる基板であって、
前記発光素子を配置するための配置パターンを前記発光素子の列設方向に沿ってそれぞれ配置した複数の配置パターン列が前記列設方向に交差する方向に沿って形成されていることを特徴とする基板。
【発明の詳細な説明】
【技術分野】
【０００１】
本発明は、基板上に列設された複数の発光素子からの光を被照射体の光照射面に向けて照射する照明装置、画像読取装置及び画像形成装置並びに基板に関する。
【背景技術】
【０００２】
複写機、ファクシミリ装置及びデジタル複合機等の画像形成装置に備えられる画像読取装置や、ネットワーク等の通信手段を介してコンピュータに接続される画像読取装置に採用される従来の照明装置として、例えば、基板上に発光ダイオード（ＬＥＤ：Light Emitting Diode）などの複数の発光素子を列設したものがある。
【０００３】
このような照明装置は、例えば、被照射体を原稿として、原稿載置台に載置された原稿の画像を主走査方向及び副走査方向に走査して読み取る画像読取装置に採用される。かかる照明装置においては、複数の発光素子は主走査方向に沿って列設されている。
【０００４】
図２８は、基板Ａ２上に複数の発光素子Ａ３，…を列設した従来の照明装置Ａ１を示す図である。図２８（ａ）は、該照明装置Ａ１の平面図を示しており、図２８（ｂ）は、該照明装置Ａ１を主走査方向Ｘから視た側面図を示している。なお、図２８（ａ）においては、原稿載置台２０１及び原稿Ｇも図示している。また、図２９は、図２８に示す発光素子Ａ３，…による原稿Ｇの光照射面Ｇｄでの照度ムラを説明するための図である。図２９（ａ）は、発光素子Ａ３，…の配置構成に対応した原稿Ｇの光照射面Ｇｄでの主走査方向Ｘの距離に対する照度のグラフを示しており、図２９（ｂ）は、発光素子Ａ３，…の配置構成を示している。
【０００５】
図２８に示すように、基板Ａ２上に複数の発光素子Ａ３，…をライン状に列設した照明装置Ａ１は、個々の発光素子Ａ１，…からの光Ｌを被照射体である原稿Ｇの光照射面Ｇｄに向けて照射するようになっている。
【０００６】
ところで、一般に市販されているＬＥＤなどの発光素子は、発光する光の輝度が何れも同じようなレベルで供給されるわけではなく、ある程度の輝度範囲を有している。
【０００７】
図３０は、ＬＥＤなどの発光素子の輝度分布の一例を示すグラフである。図３０に示すように、ＬＥＤなどの発光素子は、ある程度の輝度範囲を有しているので、輝度のレベルによって固有の輝度ランク（図３０の符号Ｒ１，…，Ｒｎ（ｎは２以上の整数）参照）にランク付けされているのが一般的である。こうすることで、使用する発光素子が一体どの程度の輝度を有しているのかを使用者が理解することができる。
【０００８】
複数の発光素子を基板上に列設した照明装置として、下記特許文献１には、光度の高い発光素子と光度の低い発光素子とを照度分布が均一になるように配置したり、光度レベルに応じた列設方向における発光素子ピッチで発光素子を配置したり、或いは、発光素子自身の光度を調整したりする照明装置が提案されている。
【先行技術文献】
【特許文献】
【０００９】
【特許文献１】特開２００８−１８０８４２号公報
【発明の概要】
【発明が解決しようとする課題】
【００１０】
このような従来の照明装置で用いられるＬＥＤなどの発光素子は、図３０に示すように、平均的な輝度よりも高い傾向にある輝度の発光素子もあれば、低い傾向にある輝度の発光素子もある。このため、平均的な輝度から離れた輝度ランクの発光素子を照明装置に使用すると、次のような不都合がある。
【００１１】
例えば、輝度ランクがあまりに低いと、設計上の自由度が低下することから、必要最小限の光量を確保するために、ある程度輝度ランクの高い（明るい）発光素子を限定して使用することがある。
【００１２】
そうすると、一般に市販されている全輝度ランクの発光素子のうち、輝度ランクの低い発光素子（例えば、図３０の斜線部で示すランクＲ１のような比較的安価な発光素子）を使用（購入）できないために、価格面で不利となってしまう。
【００１３】
従って、発光素子を広範囲な輝度ランクにわたって利用するため、例えば、輝度ランクが低め（暗め）の発光素子を使用するときには、該発光素子を搭載した基板を原稿に近づけて配置すればよいが、そうすると、輝度ランク毎に照明装置の構成の大幅な変更を招くことになる。一方、輝度ランクが低め発光素子はその位置でもよいが、輝度ランクが高め（明るめ）の発光素子を使用するとなると、その位置では原稿の光照射面での照度ムラ（図２９参照）が目立つ。
【００１４】
この点に関し、特許文献１に記載の照明装置の如く、光度の高い発光素子と光度の低い発光素子とを照度分布が均一になるように配置したり、光度レベルに応じた列設方向における発光素子ピッチで発光素子を配置したりしても、原稿の光照射面での照度が全体として変化（例えば向上）するわけではないので、ランク付けされた発光素子を広範囲な輝度ランクにわたって利用することはできない。
【００１５】
また、特許文献１に記載の照明装置の如く、発光素子自身の光度を調整する場合には、例えば、輝度ランクが低めの発光素子を使用するときに、発光素子に流れる電流値を大きくすればよいが、この場合、光量不足を補うのにも限界があり、また、無理に光量不足を補うと、発光素子の寿命低下を招く。
【００１６】
そこで、本発明は、基板上に列設された複数の発光素子からの光を被照射体の光照射面に向けて照射する照明装置であって、当該照明装置の構成を大幅に変更することなく、一般に市販されている発光素子を広範囲な輝度ランクにわたって利用でき、これにより低コスト化が実現された発光素子を用いることができる照明装置、それを備えた画像読取装置及び画像形成装置並びに基板を提供することを目的とする。
【課題を解決するための手段】
【００１７】
本発明は、前記課題を解決するために、基板上に列設された複数の発光素子からの光を被照射体の光照射面に向けて照射する照明装置であって、前記複数の発光素子は、発光する光の輝度に対して予め設定された複数の輝度ランクにランク付けされており、前記輝度ランクに基づき、前記被照射体への光軸距離と前記発光素子の列設方向に対して交差する方向の光照射位置とのうち少なくとも一方を設定できるように、前記発光素子を配置可能な構成とされていることを特徴とする照明装置を提供する。
【００１８】
また、本発明は、前記本発明に係る照明装置を備えたことを特徴とする画像読取装置も提供する。
【００１９】
また、本発明は、前記本発明に係る画像読取装置を備えたことを特徴とする画像形成装置も提供する。
【００２０】
本発明に係る照明装置及び画像読取装置並びに画像形成装置では、前記輝度ランクに基づき、前記被照射体への光軸距離と前記発光素子の列設方向に対して交差する方向の光照射位置とのうち少なくとも一方を設定できるように、前記発光素子を配置可能な構成とされているので、前記照明装置の構成を大幅に変更しなくても、前記発光素子を前記基板に配置するだけで、前記被照射体への光軸距離及び／又は前記光照射位置を容易に設定することができる。例えば、輝度ランクが低めの発光素子を使用する場合において、前記被照射体の光照射面での照度を全体として向上させるのに、前記発光素子を前記被照射体に容易に近づけて前記基板に配置することができる。また、輝度ランクが高めの発光素子を使用する場合において、被照射体の光照射面での照度ムラ（輝点）を目立ち難くするのに、前記発光素子を前記被照射体から容易に遠ざけて前記基板に配置することができる。これにより、一般に市販されている発光素子を広範囲な輝度ランクにわたって利用することができる。
【００２１】
本発明において、前記基板は、前記輝度ランクに基づき前記発光素子を配置可能な構成とされている態様を例示できる。
【００２２】
この特定事項では、前記基板として前記輝度ランクに基づき前記光軸距離及び／又は前記光照射位置を設定変更できる基板を用いることができる。このように、前記輝度ランクに基づき前記光軸距離及び／又は前記光照射位置を設定変更できる基板を用いることにより、該基板によって前記光軸距離及び／又は前記光照射位置を容易に設定することができる。
【００２３】
本発明において、前記基板には、前記発光素子を配置するための配置パターンを前記発光素子の列設方向に沿ってそれぞれ配置した複数の配置パターン列が前記列設方向に交差（例えば直交）する方向に沿って形成されており、前記複数の配置パターン列のうち、前記輝度ランクに基づき設定された配置パターン列に該輝度ランクの発光素子が配置されている態様を例示できる。
【００２４】
また、本発明は、かかる態様の照明装置に備えられる基板であって、前記発光素子を配置するための配置パターンを前記発光素子の列設方向に沿ってそれぞれ配置した複数の配置パターン列が前記列設方向に交差（例えば直交）する方向に沿って形成されていることを特徴とする基板も提供する。
【００２５】
この特定事項では、前記輝度ランクに応じて前記複数の配置パターン列の何れかに前記発光素子を配置することができる。これにより、簡単な構成で前記光軸距離及び／又は前記光照射位置を容易に設定することができる。
【００２６】
本発明において、互いに異なる厚みの複数種類の基板のうち、前記輝度ランクに基づき設定された厚みの基板に該輝度ランクの発光素子が配置されている態様を例示できる。
【００２７】
この特定事項では、前記輝度ランクに応じて前記複数種類の基板の何れかに前記発光素子を配置することができる。これにより、簡単な構成で前記光軸距離及び／又は前記光照射位置を容易に設定することができる。
【００２８】
本発明において、前記複数の発光素子のうち、前記輝度ランクの低い発光素子は、前記輝度ランクの高い発光素子よりも、前記被照射体に近い位置に配置されている態様を例示できる。
【００２９】
この特定事項では、前記輝度ランクの低め発光素子に対しては、前記被照射体の光照射面での照度を向上させることができ、前記輝度ランクの高め発光素子に対しては、前記被照射体の光照射面での前記発光素子の列設方向における照度ムラを目立ち難くすることができる。
【００３０】
本発明において、前記複数の発光素子は、前記被照射体からの反射光を通過させるためのスリットに沿って列設されており、前記スリットを基準にして、前記スリットの短手方向の一方側に列設された複数の第１発光素子からなる第１発光素子列と、前記スリットの短手方向の他方側に列設された複数の第２発光素子からなる第２発光素子列とで構成されていてもよい。
【００３１】
この特定事項では、前記第１発光素子列及び前記第２発光素子列が前記スリットの短手方向の両側に配列されているので、前記発光素子として、例えば、一方の発光素子列において、輝度ランクが低めの発光素子を用いたとしても、該発光素子の低めの輝度を該発光素子に対向する他方の発光素子列における発光素子によって補うことができる。これにより、一般に市販されている発光素子をさらに広範囲な輝度ランクにわたって利用することが可能となる。
【００３２】
本発明に係る照明装置は、前記被照射体を原稿として、例えば、原稿を載置する原稿載置台を備え、前記原稿載置台に載置された原稿の画像を主走査方向及び副走査方向に走査して読み取る原稿固定構成の画像読取装置に備えられてもよいし、原稿を自動搬送する原稿搬送装置を備え、前記原稿搬送装置によって搬送される原稿の画像を主走査方向及び副走査方向に走査して読み取る原稿移動構成の画像読取装置に備えられてもよい。或いは、これらを組み合わせた画像読取装置に備えられてもよい。
【００３３】
本発明に係る照明装置が前記原稿固定構成の画像読取装置並びに前記原稿移動構成及び前記原稿固定構成を組み合わせた画像読取装置に備えられる場合、前記スリットは、前記主走査方向に沿って配置されており、当該照明装置は、原稿の画像を読み取るにあたり、前記原稿搬送装置によって搬送される原稿に対して前記副走査方向の定位置で固定配置される走査装置とすることができる。
【００３４】
本発明に係る照明装置が前記原稿移動構成の画像読取装置並びに前記原稿移動構成及び前記原稿固定構成を組み合わせた画像読取装置に備えられる場合、前記スリットは、前記主走査方向に沿って配置されており、当該照明装置は、原稿の画像を読み取るにあたり、前記原稿載置台に載置された原稿に対して前記副走査方向の一方側へ移動される走査装置とすることができる。
【００３５】
ところで、本発明に係る照明装置が前記原稿移動構成の画像読取装置並びに前記原稿移動構成及び前記原稿固定構成を組み合わせた画像読取装置に備えられる場合において、前記第１発光素子列及び前記第２発光素子列が前記スリットの短手方向の両側に配列されている場合には、前記原稿載置台に載置された原稿の画像を読み取る際に、該原稿の副走査方向の一方側へ向かう方向における上流側端に影が表れやすい。この影の発生は、特に原稿が厚手の場合に顕著となる。
【００３６】
かかる観点から、前記第１発光素子列及び前記第２発光素子列のうち、前記副走査方向の一方側へ向かう方向において、上流側の発光素子列は、該上流側の発光素子列による原稿の光照射面での照度が下流側の発光素子列による原稿の光照射面での照度よりも大きくされていることが好ましい。
【００３７】
この特定事項では、前記原稿載置台に載置された原稿（特に厚手の原稿）の前記副走査方向の一方側へ向かう方向における上流側端に表れやすい影を軽減することが可能となる。
【００３８】
本発明において、好ましくは、前記複数の発光素子の列設方向における発光素子ピッチをＰ、前記複数の発光素子の前記被照射体への光軸距離をＨとすると、前記発光素子ピッチＰ及び前記光軸距離Ｈは、Ｐ／Ｈ≦０．８３の関係を満たす態様を例示できる。
【００３９】
この特定事項では、前記被照射体の光照射面での照度ムラを軽減した状態で、前記発光素子ピッチＰ及び光軸距離Ｈの関係を最適なものにできる。
【００４０】
本発明において、さらに好ましくは、前記発光素子ピッチＰ及び前記光軸距離Ｈは、Ｐ／Ｈ≦０．７１の関係を満たす態様を例示できる。
【００４１】
この特定事項では、前記被照射体の光照射面での照度ムラをさらに軽減した状態で、発光素子ピッチＰ及び光軸距離Ｈの関係を最適なものにできる。
【００４２】
なお、前記したＰ／Ｈ≦０．８３の関係式及びＰ／Ｈ≦０．７１の関係式については、後述する［解析シミュレーション］で詳しく説明する。
【発明の効果】
【００４３】
以上説明したように、本発明によると、前記輝度ランクに基づき、前記被照射体への光軸距離と前記発光素子の列設方向に対して交差する方向の光照射位置とのうち少なくとも一方を設定できるように、前記発光素子を配置可能な構成とされているので、前記照明装置の構成を大幅に変更することなく、一般に市販されている発光素子を広範囲な輝度ランクにわたって利用でき、これにより低コスト化が実現された発光素子を用いることが可能となる。
【図面の簡単な説明】
【００４４】
【図１】本発明に係る照明装置の一実施形態を適用した画像読取装置を備えた画像形成装置を概略的に示す側面図である。
【図２】図１に示す画像読取装置の概略縦断面図である。
【図３】本発明の実施形態に係る光源ユニットの概略構成を示す図であって、図（ａ）は、その斜視図であり、図（ｂ）は、その分解斜視図である。
【図４】光源ユニットにおける光源の概略構成を示す図であって、図（ａ）は、光源ユニットの側面図であり、図（ｂ）は、光源の側面図である。
【図５】複数の発光素子を列設した基板の概略平面図である。
【図６】複数の発光素子が光照射領域を基準にして副走査方向の片側のみに配列されている一例を示す概略側面図である。
【図７】頂面発光を行う発光面を有する複数の発光素子の一例を示す概略側面図であって、図（ａ）は、両側に配列された第１発光素子及び第２発光素子が頂面発光を行う一例を示す図であり、図（ｂ）は、片側のみに配列された発光素子が頂面発光を行う一例を示す図である。
【図８】第１実施形態の光源基板の概略構成を示す平面図である。
【図９】第１実施形態の光源基板において、第１輝度ランクの発光素子が第１輝度ランクに対応する第１配置パターン列に配置されている状態の一部を示す図である。
【図１０】第１実施形態の光源基板において、第２輝度ランクの発光素子が２輝度ランクに対応する第２配置パターン列に配置されている状態の一部を示す図である。
【図１１】第１実施形態の光源基板において、第３輝度ランクの発光素子が第３輝度ランクに対応する配置パターン列に配置されている状態の一部を示す図である。
【図１２】異なる輝度ランクの発光素子が対応する個々の配置パターン列に配置されている状態を示す図である。
【図１３】第２実施形態の光源基板の概略構成を示す側面図であって、図（ａ）は、互いに異なる厚みの複数種類の基板を示す図であり、図（ｂ）は、第１輝度ランクに対応する第１厚みの光源基板を示す図であり、図（ｃ）は、第２輝度ランクに対応する第２厚みの光源基板を示す図であり、図（ｄ）は、第３輝度ランクに対応する第３厚みの光源基板を示す図である。
【図１４】主走査方向に沿った発光素子列が副走査方向に２列に並設されている場合の第１及び第２発光素子の光軸距離の第１設定例を示す図である。
【図１５】主走査方向に沿った発光素子列が副走査方向に２列に並設されている場合の第１及び第２発光素子の光軸距離の第２設定例を示す図である。
【図１６】原稿台ガラスに載置された原稿の画像を読み取る際に表れやすい影を説明するための説明図である。
【図１７】第１発光素子及び第２発光素子による原稿の光照射面でのムラ［％］Ｍ及びムラ間距離［ｍｍ］Ｎを説明するための図であって、主走査方向の照度周期において明暗の繰り返しを示す図である。
【図１８】照度周期Ｔ、振幅［％］Ｋ、これらの値から算出したムラ間距離［ｍｍ］Ｎ及びムラ［％］Ｍ並びにその印刷画像の判定結果を一覧で表した図である。
【図１９】図１８に示す値を基にムラ［％］Ｍを縦軸に、ムラ間距離［ｍｍ］Ｎを横軸にして作成したグラフである。
【図２０】解析シミュレーションの条件を説明するための図である。
【図２１】解析シミュレーションで用いたＬＥＤピッチの一部の値において、光軸距離の一部の値での主走査方向の距離［ｍｍ］に対する原稿の光照射面での照度［ｌｘ］を例示したグラフであって、図（ａ）及び図（ｂ）は、ＬＥＤピッチをそれぞれ８ｍｍ及び１０ｍｍとしたグラフである。
【図２２】解析シミュレーションで用いたＬＥＤピッチの一部の値において、光軸距離の一部の値での主走査方向の距離［ｍｍ］に対する原稿の光照射面での照度［ｌｘ］を例示したグラフであって、図（ａ）及び図（ｂ）は、ＬＥＤピッチをそれぞれ１２ｍｍ及び１４ｍｍとしたグラフである。
【図２３】解析シミュレーションで用いたＬＥＤピッチの一部の値において、光軸距離の一部の値での主走査方向の距離［ｍｍ］に対する原稿の光照射面での照度［ｌｘ］を例示したグラフであって、図（ａ）及び図（ｂ）は、ＬＥＤピッチをそれぞれ１６ｍｍ及び１８ｍｍとしたグラフである。
【図２４】ＬＥＤピッチを１６ｍｍ、光軸距離を６ｍｍとして、単列構成の発光素子を用いた場合のムラ［％］Ｍを説明するための図である。
【図２５】ＬＥＤピッチを４ｍｍ〜１１ｍｍの１ｍｍ刻みの値とし、光軸距離を４ｍｍ〜２４ｍｍの１ｍｍ刻みの値とした場合でのＰ／Ｈの判定結果を示す図である。
【図２６】ＬＥＤピッチを１２ｍｍ〜１９ｍｍの１ｍｍ刻みの値とし、光軸距離を４ｍｍ〜２４ｍｍの１ｍｍ刻みの値とした場合でのＰ／Ｈの判定結果を示す図である。
【図２７】ＬＥＤピッチを１６ｍｍ、光軸距離を６ｍｍとした図２４の条件において、図５に示す同一ピッチ位置構成の（単列構成に比べ照度が２倍の）発光素子を用いた場合のムラ［％］Ｍを説明するための図である。
【図２８】基板上に複数の発光素子を列設した従来の照明装置を示す図であって、図（ａ）は、該照明装置の平面図であり、図（ｂ）は、該照明装置を主走査方向から視た側面図である。
【図２９】図２８に示す発光素子による原稿の光照射面での照度ムラを説明するための図であって、図（ａ）は、発光素子の配置構成に対応した原稿の光照射面での主走査方向の距離に対する照度のグラフであり、図（ｂ）は、発光素子の配置構成を示す図である。
【図３０】ＬＥＤなどの発光素子の輝度分布の一例を示すグラフである。
【発明を実施するための形態】
【００４５】
以下、本発明に係る実施の形態について図面を参照しながら説明する。なお、以下の実施の形態は、本発明を具体化した例であって、本発明の技術的範囲を限定する性格のものではない。
【００４６】
図１は、本発明に係る照明装置の一実施形態を適用した画像読取装置１００を備えた画像形成装置Ｄを概略的に示す側面図である。
【００４７】
図１に示す画像形成装置Ｄは、原稿Ｇ（後述する図２等参照）の画像を読み取る画像読取装置１００と、この画像読取装置１００により読み取られた原稿Ｇの画像又は外部から受信した画像をカラーもしくは単色で普通紙等の記録シートに記録形成する装置本体Ｄｄとを備えている。
【００４８】
［画像形成装置の全体構成について］
画像形成装置Ｄの装置本体Ｄｄは、露光装置１、現像装置２（２ａ，２ｂ，２ｃ，２ｄ）、像担持体として作用する感光体ドラム３（３ａ，３ｂ，３ｃ，３ｄ）、帯電器５（５ａ，５ｂ，５ｃ，５ｄ）、クリーナ装置４（４ａ，４ｂ，４ｃ，４ｄ）、転写部として作用する中間転写ローラ６（６ａ，６ｂ，６ｃ，６ｄ）を含む中間転写ベルト装置８、定着装置１２、シート搬送装置５０、給紙部として作用する給紙トレイ１０、及び排紙部として作用する排紙トレイ１５を備えている。
【００４９】
画像形成装置Ｄの装置本体Ｄｄにおいて扱われる画像データは、ブラック（Ｋ）、シアン（Ｃ）、マゼンタ（Ｍ）、イエロー（Ｙ）の各色を用いたカラー画像に応じたもの、又は単色（例えばブラック）を用いたモノクロ画像に応じたものである。従って、現像装置２（２ａ，２ｂ，２ｃ，２ｄ）、感光体ドラム３（３ａ，３ｂ，３ｃ，３ｄ）、帯電器５（５ａ，５ｂ，５ｃ，５ｄ）、クリーナ装置４（４ａ，４ｂ，４ｃ，４ｄ）、中間転写ローラ６（６ａ，６ｂ，６ｃ，６ｄ）は各色に応じた４種類の画像を形成するようにそれぞれ４個ずつ設けられ、それぞれの末尾符号ａ〜ｄのうち、ａがブラックに、ｂがシアンに、ｃがマゼンタに、ｄがイエローに対応付けられて、４つの画像ステーションが構成されている。以下、末尾符号ａ〜ｄは省略して説明する。
【００５０】
感光体ドラム３は、装置本体Ｄｄの上下方向のほぼ中央に配置されている。帯電器５は、感光体ドラム３の表面を所定の電位に均一に帯電させるための帯電手段であり、接触型であるローラ型やブラシ型の帯電器のほか、チャージャー型の帯電器が用いられる。
【００５１】
露光装置１は、ここでは、レーザダイオード及び反射ミラーを備えたレーザスキャニングユニット（ＬＳＵ）であり、帯電された感光体ドラム３表面を画像データに応じて露光して、その表面に画像データに応じた静電潜像を形成する。
【００５２】
現像装置２は、感光体ドラム３上に形成された静電潜像を（Ｋ，Ｃ，Ｍ，Ｙ）のトナーにより現像する。クリーナ装置４は、現像及び画像転写後に感光体ドラム３表面に残留したトナーを除去及び回収する。
【００５３】
感光体ドラム３の上方に配置されている中間転写ベルト装置８は、中間転写ローラ６に加えて、中間転写ベルト７、中間転写ベルト駆動ローラ２１、従動ローラ２２、テンションローラ２３、及び中間転写ベルトクリーニング装置９を備えている。
【００５４】
中間転写ベルト駆動ローラ２１、中間転写ローラ６、従動ローラ２２、テンションローラ２３等のローラ部材は、中間転写ベルト７を張架して支持し、中間転写ベルト７を所定のシート搬送方向（図中矢印方向）に周回移動させる。
【００５５】
中間転写ローラ６は、中間転写ベルト７内側に回転可能に支持され、中間転写ベルト７を介して感光体ドラム３に圧接されている。
【００５６】
中間転写ベルト７は、各感光体ドラム３に接触するように設けられており、各感光体ドラム３表面のトナー像を中間転写ベルト７に順次重ねて転写することによって、カラーのトナー像（各色のトナー像）を形成する。この転写ベルト７は、ここでは、厚さ１００μｍ〜１５０μｍ程度のフィルムを用いて無端ベルト状に形成されている。
【００５７】
感光体ドラム３から中間転写ベルト７へのトナー像の転写は、中間転写ベルト７内側（裏面）に圧接されている中間転写ローラ６によって行われる。中間転写ローラ６には、トナー像を転写するために高電圧の転写バイアス（例えば、トナーの帯電極性（−）とは逆極性（＋）の高電圧）が印加される。中間転写ローラ６は、ここでは、直径８〜１０ｍｍの金属（例えばステンレス）軸をベースとし、その表面は、導電性の弾性材（例えばＥＰＤＭ、発泡ウレタン等）により覆われたローラである。この導電性の弾性材により、記録シートに対して均一に高電圧を印加することができる。
【００５８】
画像形成装置Ｄの装置本体Ｄｄは、転写部として作用する転写ローラ１１ａを含む２次転写装置１１をさらに備えている。転写ローラ１１ａは、中間転写ベルト７の中間転写ベルト駆動ローラ２１とは反対側（外側）に接触している。
【００５９】
上述の様に各感光体ドラム３表面のトナー像は、中間転写ベルト７で積層され、画像データによって示されるカラーのトナー像となる。このように積層された各色のトナー像は、中間転写ベルト７と共に搬送され、２次転写装置１１によって記録シート上に転写される。
【００６０】
中間転写ベルト７と２次転写装置１１の転写ローラ１１ａとは、相互に圧接されてニップ域を形成する。また、２次転写装置１１の転写ローラ１１ａには、中間転写ベルト７上の各色のトナー像を記録シートに転写させるための電圧（例えば、トナーの帯電極性（−）とは逆極性（＋）の高電圧）が印加される。さらに、そのニップ域を定常的に得るために、２次転写装置１１の転写ローラ１１ａもしくは中間転写ベルト駆動ローラ２１の何れか一方を硬質材料（金属等）とし、他方を弾性ローラ等の軟質材料（弾性ゴムローラや発泡性樹脂ローラ等）としている。
【００６１】
また、２次転写装置１１によって中間転写ベルト７上のトナー像が記録シート上に完全に転写されず、中間転写ベルト７上にトナーが残留することがあり、この残留トナーが次工程でトナーの混色を発生させる原因となる。このため、中間転写ベルトクリーニング装置９によって残留トナーを除去及び回収する。中間転写ベルトクリーニング装置９には、例えばクリーニング部材として中間転写ベルト７に接触するクリーニングブレードが備えられており、このクリーニングブレードで残留トナーを除去及び回収することができる。従動ローラ２２は、中間転写ベルト７を内側（裏側）から支持しており、クリーニングブレードは、外部から従動ローラ２２に向けて押圧するように中間転写ベルト７に接触している。
【００６２】
給紙トレイ１０は、記録シートを格納しておくためのトレイであり、装置本体Ｄｄの画像形成部の下側に設けられている。また、画像形成部の上側に設けられている排紙トレイ１５は、印刷済みの記録シートをフェイスダウンで載置するためのトレイである。
【００６３】
また、装置本体Ｄｄには、給紙トレイ１０の記録シートを２次転写装置１１や定着装置１２を経由させて排紙トレイ１５に送るためのシート搬送装置５０が設けられている。このシート搬送装置５０は、Ｓの字形状のシート搬送路Ｓを有し、シート搬送路Ｓに沿って、ピックアップローラ１６、サバキローラ１４ａ、分離ローラ１４ｂ、各搬送ローラ１３、レジスト前ローラ対１９、レジストローラ対１０６、定着装置１２、及び排紙ローラ１７等の搬送部材が配置されている。
【００６４】
ピックアップローラ１６は、給紙トレイ１０のシート搬送方向下流側端部に設けられ、給紙トレイ１０から記録シートを１枚ずつシート搬送路Ｓに供給する呼び込みローラである。サバキローラ１４ａは、分離ローラ１４ｂとの間に記録シートを通過させて１枚ずつ分離しつつシート搬送路Ｓへと搬送する。各搬送ローラ１３及びレジスト前ローラ対１９は、記録シートの搬送を促進補助するための小型のローラである。各搬送ローラ１３は、シート搬送路Ｓに沿って複数箇所に設けられている。レジスト前ローラ対１９は、レジストローラ対１０６のシート搬送方向上流側の直近に設けられており、記録シートをレジストローラ対１０６へと搬送するようになっている。
【００６５】
レジストローラ１０６は、レジスト前ローラ１９にて搬送されてきた記録材を一旦停止させて、記録シートの先端を揃え、中間転写ベルト７と２次転写装置１１間のニップ域で中間転写ベルト７上のカラートナー像が記録シートに転写されるように、感光体ドラム３及び中間転写ベルト７の回転にあわせて、記録材をタイミングよく搬送する。
【００６６】
例えば、レジストローラ１０６は、中間転写ベルト７と２次転写装置１１との間のニップ域で中間転写ベルト７上のカラートナー像の先端が記録シートにおける画像形成範囲の先端に合うように、記録シートを搬送する。
【００６７】
定着装置１２は、ヒートローラ３１及び加圧ローラ３２を備えている。ヒートローラ３１及び加圧ローラ３２は、記録シートを挟み込んで搬送する。
【００６８】
ヒートローラ３１は、所定の定着温度となるように温度制御され、加圧ローラ３２と共に記録シートを熱圧着することにより、記録シートに転写されたトナー像を溶融、混合、圧接し、記録シートに対して熱定着させる機能を有している。また、定着装置１２には、ヒートローラ３１を外部から加熱するための外部加熱ベルト３３が設けられている。
【００６９】
各色のトナー像の定着後での記録シートは、排紙ローラ１７によって排紙トレイ１５上に排出される。
【００７０】
なお、４つの画像形成ステーションのうち少なくとも一つを用いて、モノクロ画像を形成し、モノクロ画像を中間転写ベルト装置８の中間転写ベルト７に転写することも可能である。このモノクロ画像も、カラー画像と同様に、中間転写ベルト７から記録シートに転写され、記録シート上に定着される。
【００７１】
また、記録シートの表（オモテ）面だけではなく、両面の画像形成を行う場合は、記録シートの表面の画像を定着装置１２により定着した後に、記録シートをシート搬送路Ｓの排紙ローラ１７により搬送する途中で、排紙ローラ１７を停止させてから逆回転させ、記録シートを表裏反転経路Ｓｒに通して、記録シートの表裏を反転させてから、記録シートを再びレジストローラ対１０６へと導き、記録シートの表面と同様に、記録シートの裏面に画像を記録して定着し、記録シートを排紙トレイ１５に排出する。
【００７２】
［画像読取装置の全体構成について］
図２は、図１に示す画像読取装置１００の概略縦断面図である。図１及び図２に示す画像読取装置１００は、原稿固定方式により原稿Ｇを固定して原稿画像を読み取り、かつ、原稿移動方式により原稿Ｇを移動させて原稿画像を読み取るように構成されている。
【００７３】
すなわち、画像読取装置１００は、原稿固定読取構成と原稿移動読取構成とを備えている。
【００７４】
前記原稿固定読取構成は、原稿載置台の一例である原稿台ガラス２０１ａ上に載置される原稿Ｇを光源ユニット２１０（照明装置の一例）にて該ガラス２０１ａを介して照明し、該光源ユニット２１０を副走査方向（図中矢印Ｙ方向一方側）に移動させつつ該光源ユニット２１０により照明された原稿Ｇからの反射光を副走査方向Ｙに直交する主走査方向（後述する図３の矢印Ｘ方向参照）に走査して原稿画像を読み取る。
【００７５】
前記原稿移動読取構成は、自動原稿送り装置３００で原稿台の他の例である原稿読取ガラス２０１ｂ上を通過するように副走査方向Ｙ一方側に搬送される原稿Ｇを、原稿読取部２００において定位置Ｖに位置する光源ユニット２１０にて該ガラス２０１ｂを介して照明しつつ該光源ユニット２１０により照明された原稿Ｇからの反射光を主走査方向Ｘに走査して原稿画像を読み取る。なお、図２では光源ユニット２１０が定位置Ｖに位置している状態を示している。
【００７６】
詳しくは、原稿読取部２００は、原稿台ガラス２０１ａ、光源ユニット２１０、光源ユニット２１０を移動させる光学系駆動部（図示せず）、ミラーユニット２０３、集光レンズ２０４及び撮像素子（ここではＣＣＤ）２０５を備えており、これらの部材は金属製の枠体２０２内に収容されている。光源ユニット２１０は、原稿Ｇへ向けて光を照射する光源２１１と、原稿Ｇからの反射光をミラーユニット２０３へ導く第１ミラー２３０とを有している。なお、光源ユニット２１０についてはのちほど詳しく説明する。
【００７７】
原稿台ガラス２０１ａは、透明なガラス板からなり、主走査方向Ｘの両端部が枠体２０２に載置されている。なお、自動原稿送り装置３００は、副走査方向Ｙに沿った軸線回りに（例えばヒンジによって軸支され）原稿読取部２００に対して開閉可能となっており、その下面が原稿読取部２００の原稿台ガラス２０１ａ上に載置された原稿Ｇを上から押さえる原稿押さえ部材を兼ねている。
【００７８】
ミラーユニット２０３は、第２ミラー２０３ａ、第３ミラー２０３ｂ及び支持部材（図示せず）を備えている。前記支持部材は、第２ミラー２０３ａを、光源ユニット２１０における第１ミラー２３０からの光を反射して第３ミラー２０３ｂに導くように支持している。また、前記支持部材は、第３ミラー２０３ｂを、第２ミラー２０３ａからの光を反射して集光レンズ２０４に導くように支持している。集光レンズ２０４は、第３ミラー２０３ｂからの光を撮像素子２０５に集光するものである。撮像素子２０５は、集光レンズ２０４からの光（原稿画像光）を電気信号に画像データとして電気信号に変換するものである。
【００７９】
また、前記光学系駆動部は、光源ユニット２１０を一定の速度で副走査方向Ｙに移動させると共に、ミラーユニット２０３を光源ユニット２１０の移動速度の１／２の移動速度で同じく副走査方向Ｙに移動させるように構成されている。
【００８０】
ここでは、原稿読取部２００は、原稿固定方式に加えて、原稿移動方式にも対応しており、原稿読取ガラス２０１ｂを備えている。従って、前記光学系駆動部は、さらに、光源ユニット２１０を原稿読取ガラス２０１ｂ下方の所定のホームポジションＶに位置させるように構成されている。
【００８１】
自動原稿送り装置３００は、原稿Ｇを搬送するために載置する原稿トレイ３０１と、この原稿トレイ３０１の下方に配置される排出トレイ３０２と、これらの間を接続する第１搬送路３０３と、上流側搬送ローラ対３０４及び下流側搬送ローラ対３０５とからなる２つの搬送ローラ対とを備えている。
【００８２】
上流側搬送ローラ対３０４は、原稿読取ガラス２０１ｂを基準にして原稿Ｇを該原稿Ｇの搬送方向Ｙ１において上流側で搬送する。下流側搬送ローラ対３０５は、原稿読取ガラス２０１ｂを基準にして原稿Ｇを該原稿Ｇの搬送方向Ｙ１において下流側で搬送する。すなわち、上流側搬送ローラ対３０４、原稿読取ガラス２０１ｂ及び下流側搬送ローラ対３０５は、搬送方向Ｙ１に沿ってこの順に配設されている。また、原稿読取ガラス２０１ｂは、第１搬送路３０３の搬送壁を画するように略水平に設けられている。
【００８３】
自動原稿送り装置３００は、さらに、ピックアップローラ３０６と、サバキローラ３０７と、分離パッド等の分離部材３０８とを備えている。
【００８４】
ピックアップローラ３０６は、原稿トレイ３０１上に載置された原稿Ｇを該原稿トレイ３０１から搬送方向Ｙ１に沿って第１搬送路３０３内へ送り出すものである。サバキローラ３０７は、ピックアップローラ３０６より搬送方向Ｙ１下流側に配置されており、ピックアップローラ３０６にて送られてきた原稿Ｇを分離部材３０８と共に挟持しつつさらに搬送方向Ｙ１下流側へ搬送するものである。分離部材３０８は、サバキローラ３０７に対峙された状態で該サバキローラ３０７との間に搬送される原稿Ｇが１枚になるように該原稿Ｇを捌く（分離する）ようになっている。
【００８５】
かかる構成を備えた自動原稿送り装置３００は、原稿Ｇをピックアップローラ３０６にてサバキローラ３０７と分離部材３０８との間に搬送し、ここで原稿Ｇを捌いて分離すると共にサバキローラ３０７が回転駆動されることによって１枚ずつ搬送するようになっている。そして、サバキローラ３０７にて搬送される原稿Ｇを第１搬送路３０３にて案内して上流側搬送ローラ対３０４に向けて１枚ずつ供給するようになっている。
【００８６】
詳しくは、ピックアップローラ３０６は、原稿トレイ３０１に積載された原稿Ｇに対して、図示しないピックアップローラ駆動部にて接離可能とされている。また、ピックアップローラ３０６は、無端ベルト等を含む駆動伝達手段３０９を介してサバキローラ３０７と同方向に回転するように該サバキローラ３０７に連結されている。ピックアップローラ３０６及びサバキローラ３０７は、原稿Ｇの読み取り要求がなされると、図示しない原稿供給駆動部にて原稿Ｇを搬送方向Ｙ１に搬送させる方向（図２中矢印Ｗ）に回転駆動されるようになっている。
【００８７】
本実施の形態では、自動原稿送り装置３００は、原稿Ｇの一方の面を読み取り可能に搬送した後、該原稿Ｇを表裏が逆転するように反転させて該原稿Ｇの他方の面を読み取り可能に搬送するように構成されている。
【００８８】
詳しくは、自動原稿送り装置３００は、前記の構成に加えて、さらに、反転ローラ対３１０と、第２搬送路３１１と、切換爪３１２とを備えている。
【００８９】
第１搬送路３０３は、原稿Ｇをサバキローラ３０７から上流側搬送ローラ対３０４、原稿読取ガラス２０１ｂ、下流側搬送ローラ対３０５及び反転ローラ対３１０を経て排出トレイ３０２へ搬送するようにループ状に形成されている。反転ローラ対３１０は、下流側搬送ローラ対３０５よりも搬送方向Ｙ１下流側に配設され、かつ、該下流側搬送ローラ対３０５から搬送されてきた原稿Ｇを後端（搬送方向Ｙ１上流側端）が前になるように搬送するためのものである。第２搬送路３１１は、反転ローラ対３１０と下流側搬送ローラ対３０５との間の分岐部Ｓｄから分岐され、かつ、該反転ローラ対３１０にて後端が前になるように搬送された原稿Ｇを該原稿Ｇの表裏が逆転するように反転させるために第１搬送路３０３の上流側搬送ローラ対３０４よりも搬送方向Ｙ１上流側へ導くものである。第１搬送路３０３の反転ローラ対３１０と分岐部Ｓｄとの間には、スイッチバック搬送路３１３が形成されている。このスイッチバック搬送路３１３は、反転ローラ対３１０の順方向（原稿Ｇの搬送方向Ｙ１）の回転による原稿Ｇの搬送と、逆方向の回転による原稿Ｇの逆搬送とが可能な搬送路とされている。
【００９０】
切換爪３１２は、分岐部Ｓｄに配置され、かつ、原稿Ｇを反転ローラ対３１０から第２搬送路３１１を介して上流側搬送ローラ対３０４へ導く第１切換姿勢と、原稿Ｇを下流側搬送ローラ対３０５からスイッチバック搬送路３１３を介して反転ローラ対３１０へ導く第２切換姿勢とをとり得るように構成されている。
【００９１】
ここでは、切換爪３１２は、通常状態では、スイッチバック搬送路３１３と第２搬送路３１１とを直結する形態で配置され（第１切換姿勢、図２中実線参照）、原稿読取部２００で原稿画像が読み取られた原稿Ｇが搬送方向Ｙ１に搬送される際には、該原稿Ｇの先端（搬送方向Ｙ１下流側端）が切換爪３１２を押し上げて該原稿Ｇをスイッチバック搬送路３１３へ導くようになっている（第２切換姿勢、図中破線参照）。この分岐爪３１２は、爪部３１２ａが自重で落下し、下流側搬送ローラ対３０５と反転ローラ対３１０との間の第１搬送路３０３を閉塞して前記第１切換姿勢をとるように反転ローラ対３１１の軸線方向に沿った揺動軸Ｑ回りに揺動自在とされている。そして、切換爪３１２は、原稿Ｇの後端がスイッチバック搬送路３１３内に位置し、該原稿Ｇが逆方向に回転する反転ローラ対３１０にて原稿Ｇの搬送方向Ｙ１とは反対方向の逆搬送方向（図中矢印Ｙ２方向）に逆搬送される際には、該原稿Ｇを第２搬送路３１１へ導くようになっている。
【００９２】
なお、原稿トレイ３０１に載置された原稿Ｇのサイズは、原稿トレイ３０１の原稿載置部に配設された原稿サイズセンサ３１４で検出されるようになっている。原稿トレイ３０１に載置された原稿Ｇの有無は、原稿トレイ３０１の原稿載置部のピックアップローラ３０６近傍に配設された原稿有無検知センサ３１５で検出されるようになっている。また、上流側搬送ローラ対３０４は、停止状態においてサバキローラ３０７にて搬送された原稿Ｇの先端を突き合わせて整合し、読み取りタイミングに合わせて回転駆動されるようになっている。こうして搬送される原稿Ｇは、第１搬送路３０３の搬送方向Ｙ１において第２搬送路３１１より下流側、かつ、上流側搬送ローラ対３０４より下流側に配設された搬送センサ３１６で検出されるようになっている。また、反転ローラ対３１０にて排出される原稿Ｇは、反転ローラ対３１０より排出側で該反転ローラ対３１０近傍に配設された排出センサ３１７で検出されるようになっている。なお、搬送ローラ対３０４，３０５、反転ローラ対３１０等の搬送系ローラは、図示しない搬送系の駆動部にて駆動されるようになっている。
【００９３】
また、本実施の形態においては、原稿搬送部２００は、搬送される原稿Ｇを間にして、原稿読取ガラス２０１ｂと対向する読取ガイド３１８をさらに備えている。
【００９４】
以上説明した画像読取装置１００では、原稿固定方式によって原稿Ｇの原稿画像を読み取る指示がなされると、光源ユニット２１０は原稿台ガラス２０１ａに載置される原稿Ｇに対して光を該原稿台ガラス２０１ａを介して照射しながら一定の速度で副走査方向Ｙの一方側に移動して原稿Ｇの画像を走査し、それと同時にミラーユニット２０３は光源ユニット２１０の移動速度の１／２の移動速度で同じく副走査方向Ｙの一方側に移動する。
【００９５】
光源ユニット２１０にて光照明されて原稿Ｇから反射された反射光は、光源ユニット２１０に設けられた第１ミラー２３０で反射したのち、ミラーユニット２０３の第２及び第３ミラー２０３ａ，２０３ｂによって１８０°光路変換される。第３ミラー２０３ｂから反射された光は、集光レンズ２０４を介して撮像素子２０５に結像し、ここで原稿画像光が読み取られて電気的な画像データに変換される。
【００９６】
一方、原稿移動方式によって原稿Ｇの原稿画像を読み取る指示がなされると、光源ユニット２１０及びミラーユニット２０３が図２に示される位置Ｖに静止したまま、自動原稿送り装置３００によって原稿Ｇが図２に示される位置Ｖの上部を通過するように副走査方向Ｙの一方側に搬送される。すなわち、原稿トレイ３０１に載置された原稿Ｇは、ピックアップローラ３０６によって取り出され、サバキローラ３０７及び分離部材３０８によって１枚ずつに分離され、第１搬送路３０３に搬送される。第１搬送路３０３に搬送された原稿Ｇは、搬送センサ３１６で原稿Ｇの搬送が確認された後、上流側搬送ローラ対３０４によって、斜行防止のために先端が揃えられると共に、規定の読み取りタイミングで送り出され、表裏が反転されて原稿読取ガラス２０１ｂへと搬送される。
【００９７】
そして、原稿読取ガラス２０１ｂ上を通過した原稿Ｇの一方の面に、光源ユニット２１０からの光が該原稿読取ガラス２０１ｂを介して照射されて該一方の面で反射される。この原稿Ｇの一方の面から反射された光は、上述の原稿固定方式と同様に第１ミラー２３０によって反射された後、ミラーユニット２０３の第２及び第３ミラー２０３ａ，２０３ｂによって１８０°光路変換され、集光レンズ２０４を介して撮像素子２０５に結像し、ここで原稿画像が読み取られて電気的な画像データに変換される。なお、この撮像素子２０５による読み取り動作は、後述する両面読み取りの場合も同様であり、以下では説明を省略する。
【００９８】
読み取りの終了した原稿Ｇは、下流側搬送ローラ対３０５によって読取ガラス２０１ｂ上から引き出され、第１搬送路３０３のスイッチバック搬送路３１３を介して、可逆回転可能な反転ローラ対３１０によって排出トレイ３０２上に排出される。
【００９９】
また、原稿Ｇの一方の面と他方の面との両面を読み取る場合には、一方の面が読み取られた原稿Ｇが排出トレイ３０２に排出されることなく、該原稿Ｇの後端がスイッチバック搬送路３１３内に位置するように搬送され、逆方向に回転する反転ローラ対３１０にて逆搬送方向Ｙ２に逆搬送されて第１切換姿勢にある切換爪３１２にて第２搬送路３１１へ導かれる。第２搬送路３１１に導かれた原稿Ｇは、第２搬送路３１１を介して、再度、第１搬送路３０３に戻ることで、表裏が反転されて上流側搬送ローラ対３０４にて搬送され、原稿読取ガラス２０１ｂ上を通過して他方の面が読み取られる。こうして両面の読み取りが終わった原稿Ｇは、再度、第１搬送路３０３に戻ることで、表裏が反転されて搬送ローラ対３０４，３０５にて搬送され、その後、第１搬送路３０３のスイッチバック搬送路３１３を通過し、順方向に回転する反転ローラ対３１０を介して排出トレイ３０２に排出される。
【０１００】
図３は、本発明の実施形態に係る光源ユニット２１０の概略構成を示す図である。図３（ａ）は、その斜視図を示しており、図３（ｂ）は、その分解斜視図を示している。図４は、光源ユニット２１０における光源２１１の概略構成を示す図であって、図４（ａ）は、光源ユニット２１０の側面図を示しており、図４（ｂ）は、光源２１１の側面図を示している。なお、図４においては、原稿台２０１ａ，２０１ｂ及び原稿Ｇも図示している。
【０１０１】
また、図５は、複数の発光素子２１２，…を列設した基板２１３の概略平面図を示している。
【０１０２】
本発明の実施形態に係る光源ユニット２１０は、基板（以下、光源基板という）２１３上に列設された複数の発光素子２１２，…からの光を被照射体（ここでは原稿Ｇ）の光照射面Ｇｄに向けて照射するようになっている。
【０１０３】
この光源ユニット２１０に備えられている光源２１１は、複数の発光素子２１２，…と、それを搭載する光源基板２１３とを備えている。複数の発光素子２１２，…は、何れも発光ダイオード（ＬＥＤ）素子とされている。各発光素子２１２，…は、所定方向に強い指向特性を有している。各発光素子２１２，…から射出される光のうち光束が最も強くなる方向が光軸Ｌとされている。なお、各発光素子は、同じタイプ（ここでは同一メーカー）のものとされている。
【０１０４】
複数の発光素子２１２，…は、原稿Ｇにおける所定の第１方向（ここでは主走査方向Ｘ）に延びる一定の光照射領域Ｌｄ側に向けて光を照射するものである。この光照射領域Ｌｄが原稿読取位置とされる。
【０１０５】
本実施の形態では、複数の発光素子２１２，…は、光照射領域Ｌｄを基準にして、主走査方向Ｘに直交する光照射面Ｇｄに沿った第２方向（ここでは副走査方向Ｙ）の両側に列設されている。複数の発光素子２１２，…は、各光軸Ｌが主走査方向Ｘに対して直角になるように配置されている。
【０１０６】
詳しくは、複数の発光素子２１２，…は、前記両側のうち、一方側には複数の第１発光素子２１２ａ，…が主走査方向Ｘに列設されており、他方側には複数の第２発光素子２１２ｂ，…が主走査方向Ｘに列設されている。すなわち、複数の発光素子２１２，…は、第１発光素子２１２ａ，…で構成される第１発光素子列２２０ａと複数の第２発光素子２１２ｂ，…で構成される第２発光素子列２２０ｂとの２列に配置されている。
【０１０７】
光源基板２１３は、主走査方向Ｘに延びる互いに平行な第１及び第２光源基板２１３ａ，２１３ｂからなっている。第１光源基板２１３ａには、複数の第１発光素子２１２ａ，…が搭載され、第２光源基板２１３ｂには、複数の第２発光素子２１２ｂ，…が搭載されている。
【０１０８】
また、本実施の形態では、複数の第１発光素子２１２ａ，…及び複数の第２発光素子２１２ｂ，…の各発光素子ピッチ（主走査方向Ｘにおける素子中心間の距離）Ｐは、何れも同一の距離とされている。さらに、前記第１発光素子列及び前記第２発光素子列において、第１発光素子２１２ａ，…及び第２発光素子２１２ｂ，…は、ピッチ位置が副走査方向Ｙで揃うように（同一ピッチ位置構成で）配列されている。第１発光素子２１２ａ，…及び第２発光素子２１２ｂ，…は、ここでは、同数とされている。
【０１０９】
また、本実施の形態では、図４（ｂ）に示すように、複数の第１発光素子２１２ａ，…及び複数の第２発光素子２１２ｂ，…は、それぞれ、搭載される第１光源基板２１３ａ及び第２光源基板２１３ｂの発光素子の配置面Ｆに対して光軸Ｌが平行になるように光を射出するサイド発光を行う発光面Ｅ１を有している。具体的には、第１発光素子２１２ａ，…を搭載した第１光源基板２１３ａと、第２発光素子２１２ｂ，…を搭載した第２光源基板２１３ｂとは、側面視において光軸Ｌの方向が光照射領域Ｌｄ側へ向くように原稿Ｇ側とは反対側が開いた「ハの字」形に配置されている。なお、光照射領域Ｌｄは、第１光源基板２１３ａ及び第２光源基板２１３ｂの中間に位置している。
【０１１０】
以上説明した光源ユニット２１０の構成では、複数の発光素子２１２，…は、光照射領域Ｌｄを基準にして、副走査方向Ｙの両側に配列されているが、片側のみに配列されていてもよい。
【０１１１】
図６は、複数の発光素子２１２，…が光照射領域Ｌｄを基準にして副走査方向Ｙの片側のみに配列されている一例を示す概略側面図である。
【０１１２】
図６に示す複数の発光素子２１２，…は、光照射領域Ｌｄを基準に副走査方向Ｙの片側に配置された光源基板２１３に搭載されており、配置面Ｆに対して光軸Ｌが平行になるように光を射出するサイド発光を行う発光面Ｅ１を有している。具体的には、光源基板２１３は、光軸Ｌの方向が光照射領域Ｌｄ側へ向くように傾斜配置されている。
【０１１３】
また、複数の発光素子２１２，…が両側に配列されているか或いは片側のみに配列されているかに拘わらず、搭載される光源基板２１３の配置面Ｆに対して光軸Ｌが垂直になるように光を射出する頂面発光を行ってもよい。
【０１１４】
図７は、頂面発光を行う発光面Ｅ２を有する複数の発光素子２１２，…の一例を示す概略側面図である。図７（ａ）は、両側に配列された第１発光素子２１２ａ，…及び第２発光素子２１２ｂ，…が頂面発光を行う一例を示しており、図７（ｂ）は、片側のみに配列された発光素子２１２，…が頂面発光を行う一例を示している。
【０１１５】
図７（ａ）に示すように、第１発光素子２１２ａ，…及び第２発光素子２１２ｂ，…が頂面発光を行う発光面Ｅ２を有する場合には、光軸Ｌの方向が光照射領域Ｌｄ側へ向くように原稿Ｇ側が開いた逆「ハの字」形に第１光源基板２１３ａ及び第２光源基板２１３ｂを配置することができる。なお、光照射領域Ｌｄは、第１光源基板２１３ａ及び第２光源基板２１３ｂの中間に位置している。
【０１１６】
また、図７（ｂ）に示すように、発光素子２１２，…が片側のみに配列されている場合には、光軸Ｌの方向が光照射領域Ｌｄ側へ向くように光源基板２１３を傾斜配置することができる。
【０１１７】
このように発光素子は図４から図７に示す配置構成とすることができるが、発光素子が図５に示すように両側で同一ピッチ位置構成に配列されている場合には、図６及び図７（ｂ）に示すように発光素子が片側のみに配列されている構成に比べて発光素子数を２倍して照度を倍増させることができる。
【０１１８】
また、発光素子がサイド発光と頂面発光とのうち何れかの発光を行う場合、当該光源ユニット２１０内の構成部品の配置構成に応じて、サイド発光を行う構成と頂面発光を行う構成との使い分けを行うことで、当該光源ユニット２１０内の空いたスペースを有効に利用することができる。
【０１１９】
図３に示すように、光源ユニット２１０は、発光素子アレイユニット２１５と、該発光素子アレイユニット２１５が設けられたミラーベースユニット２１６とを備えている。
【０１２０】
発光素子アレイユニット２１５は、第１発光素子２１２ａ，…と、第１光源基板２１３ａと、第２発光素子２１２ｂ，…と、第２光源基板２１３ｂと、第１光源基板２１３ａ及び第２光源基板２１３ｂが設けられた基台２１４とを備えている。
【０１２１】
詳しくは、第１光源基板２１３ａ及び第２光源基板２１３ｂは、長手方向が主走査方向Ｘに向くように基台２１４に配置されている。基台２１４は、第１及び第２光源基板２１３ａ，２１３ｂを副走査方向Ｙに所定の間隔をあけて主走査方向Ｘ両端側でビス等の固定部材ＳＣにて固定している。こうして、第１発光素子２１２ａ，…と第２発光素子２１２ｂ，…とが、光照射領域Ｌｄを基準にして、副走査方向Ｙの両側に主走査方向Ｘに沿ってそれぞれ列設されている。
【０１２２】
基台２１４には、さらに、第１光源基板２１３ａと第２光源基板２１３ｂとの間において、原稿Ｇからの反射光を通過させるための主走査方向Ｘに沿って延びるスリットＲが形成されている。このスリットＲは、原稿読取位置である光照射領域Ｌｄの下方に位置している。すなわち、第１発光素子列２２０ａ及び第２発光素子列２２０ｂは、スリットＲの短手方向の両側に配列されている。
【０１２３】
ミラーベースユニット２１６には、第１ミラー２３０が設けられている。詳しくは、第１ミラー２３０は、原稿Ｇの光照射面Ｇｄで反射した光を基台２１４に設けられたスリットＲを介してミラーユニット２０３の第２ミラー２０３ａに導くようにミラーベースユニット２１６の主走査方向Ｘに沿った開口２１６ａに挿通された状態で支持されている。
【０１２４】
［本発明の特徴部分の説明］
光源ユニット２１０では、第１及び第２発光素子（２１２ａ，…），（２１２ｂ，…）は、発光する光の輝度に対して予め設定された固有の輝度ランクにランク付けされた発光素子である。
【０１２５】
第１及び第２発光素子（２１２ａ，…），（２１２ｂ，…）は、図３０に示すように、ある程度の輝度範囲を有しており、暗いランクから明るいランクにかけて複数の輝度ランクＲ１，…，Ｒｎ（ｎは２以上の整数）にランク付けされている。
【０１２６】
光源ユニット２１０は、複数の輝度ランクＲ１，…，Ｒｎの何れかに基づき第１及び第２発光素子（２１２ａ，…），（２１２ｂ，…）の原稿Ｇへの光軸距離Ｈとして複数の光軸距離Ｈ１，…，Ｈｎの何れかを設定変更できるように該第１及び第２発光素子（２１２ａ，…），（２１２ｂ，…）が配置可能な構成とされている。或いは／さらに、光源ユニット２１０は、複数の輝度ランクＲ１，…，Ｒｎの何れかに基づき光軸Ｌの原稿Ｇでの副走査方向Ｙの光照射位置として複数の光照射位置の何れかを設定変更できるように該第１及び第２発光素子（２１２ａ，…），（２１２ｂ，…）が配置可能な構成とされている。
【０１２７】
詳しくは、第１及び第２光源基板２１３ａ，２１３ｂは、複数の輝度ランクＲ１，…，Ｒｎに基づき第１及び第２発光素子（２１２ａ，…），（２１２ｂ，…）を配置可能な基板として予め用意されている。
【０１２８】
そして、以下に説明する第１実施形態及び第２実施形態のように、複数の輝度ランクＲ１，…，Ｒｎの何れかに基づき光軸距離Ｈ及び／又は副走査方向Ｙの光照射位置が第１及び第２光源基板２１３ａ，２１３ｂによって設定されている。なお、以下の第１実施形態及び第２実施形態では、第１発光素子２１２ａ，…及び第２発光素子２１２ｂ，…は、単に発光素子２１２，…とし、第１光源基板２１３ａ及び第２光源基板２１３ｂは、単に光源基板２１３として説明する。
【０１２９】
（第１実施形態）
第１実施形態では、図４、図６及び図７に示すように、光源基板２１３は、配置面Ｆが原稿Ｇの光照射面Ｇｄに対して主走査方向Ｘに沿った軸線回りに傾斜するように配置されている。
【０１３０】
なお、光源基板２１３は、配置面Ｆが原稿Ｇの光照射面Ｇｄに対して直角又は平行になるように配置されていてもよい。この場合、発光素子２１２は、光軸Ｌの方向が光源基板２１３の配置面Ｆに対して傾斜するように（光照射領域Ｌｄ側へ向くように）光源基板２１３に配置されることが好ましい。
【０１３１】
図８は、第１実施形態の光源基板２１３の概略構成を示す平面図である。図８に示す光源基板２１３には、複数の輝度ランクＲ１，…，Ｒｎに応じて複数の配置パターン列ＰＴ１，…，ＰＴｎが副走査方向Ｙに沿って順に形成されている。
【０１３２】
複数の配置パターン列ＰＴ１，…，ＰＴｎは、発光素子２１２，…を配置（搭載）するための複数の配置（電極）パターンｐｔが発光素子２１２，…の列設方向（ここでは主走査方向Ｘ）に沿ってそれぞれ配置されている。すなわち、複数の配置パターン列ＰＴ１，…，ＰＴｎは、光源基板２１３の短手方向に沿って順に形成されている。
【０１３３】
そして、各輝度ランクＲ１，…，Ｒｎの発光素子２１２，…は、光源基板２１３において、該各輝度ランクＲ１，…，Ｒｎにそれぞれ対応する各配置パターン列Ｐ１，…，ＰＴｎに配置される。
【０１３４】
複数の配置パターン列ＰＴ１，…，ＰＴｎを構成する配置パターンｐｔは、主走査方向Ｘにｍ（ｍは２以上の整数）個、副走査方向Ｙにｎ個並んだマトリックス状の配置パターン（ｐｔ１１，ｐｔ２１，…，ｐｔｍ１），…，（ｐｔ１ｎ，ｐｔ２ｎ，…，ｐｔｍｎ）とされている。
【０１３５】
主走査方向Ｘに隣り合う発光素子２１２，２１２（図８の二点鎖線参照）を両側で載置する配置パターンｐｔとして、平面視Ｈ字状に形成されたＨ字状配置パターンを例示できる。このＨ字状配置パターンでは、配置パターンの面積を可及的に抑えた状態で主走査方向Ｘに隣り合う発光素子を載置することができる。
【０１３６】
詳しくは、Ｈ字状配置パターンｐｔは、主走査方向Ｘに隣り合う発光素子２１２，２１２のうち、一方の発光素子の一端子が電気的に接続される第１載置部ｐｔａと、他方の発光素子の他端子が電気的に接続される第２載置部ｐｔｂと、第１載置部ｐｔａ及び第２載置部ｐｔｂを電気的に連結する連結部ｐｔｃとからなっている。
【０１３７】
各配置パターン列ＰＴにおいて、主走査方向Ｘにおける両端の配置パターンｐｔを除いた残りの配置パターンｐｔをＨ字状配置パターンｐｔとすることができる。ここでは、主走査方向Ｘにおける一端（図８中左側端）の配置パターンｐｔは、何れも第１電極配線パターンｐｔｄに電気的に接続されている。また、主走査方向Ｘにおける他端（図８中右側端）の配置パターンｐｔは、何れも第２電極配線パターンｐｔｅに電気的に接続されている。これら第１電極配線パターンｐｔｄ及び第２電極配線パターンｐｔｅは、発光素子２１２，…を駆動するための駆動回路（図示省略）に電気的に接続される。
【０１３８】
かかる構成を備えた光源基板２１３では、例えば、図４及び図６に示すようなサイド発光を行う場合のように光軸Ｌが配置面Ｆに対して平行になっている場合には、光照射位置を維持したまま光軸距離Ｈとして複数の光軸距離Ｈ１，…，Ｈｎの何れかを設定変更することができる。すなわち、複数の配置パターン列ＰＴ１，…，ＰＴｎのうち、複数の輝度ランクＲ１，…，Ｒｎの何れかに基づき光軸距離Ｈとして複数の光軸距離Ｈ１，…，Ｈｎの何れかが設定された配置パターン列に該輝度ランクの発光素子２１２，…を配置することができる。また、光軸Ｌが配置面Ｆに対して平行になっていない場合には、光軸距離Ｈと副走査方向Ｙの光照射位置とのうち少なくとも副走査方向Ｙの光照射位置を設定変更することができる。
【０１３９】
例えば、複数の輝度ランクＲ１，…，Ｒｎを第１輝度ランクＲ１から第３輝度ランクＲ３までとし、光源基板２１３に第１から第３までの配置パターン列ＰＴ１〜ＰＴ３を形成する場合を例にとって以下に説明する。この場合、第１から第３までの輝度ランクＲ１〜Ｒ３に応じて光軸距離Ｈとして第１から第３までの光軸距離Ｈ１〜Ｈ３（Ｈ１＜Ｈ２＜Ｈ３）の何れかを設定変更することができる。
【０１４０】
ここで、第１輝度ランクＲ１から第３輝度ランクＲ３までのうち、最も暗い第１輝度ランクＲ１の発光素子２１２，…において、原稿Ｇの光照射面Ｇｄでの照度を適正な照度とし、かつ、照度ムラを目立ち難くすることが可能な光軸距離Ｈを第１光軸距離Ｈ１とする。また、中間の明るさである第２輝度ランクＲ２の発光素子２１２，…において、原稿Ｇの光照射面Ｇｄでの照度を適正な照度とし、かつ、照度ムラを目立ち難くすることが可能な光軸距離Ｈを第２光軸距離Ｈ２とする。また、最も明るい第３輝度ランクＲ３の発光素子２１２，…において、原稿Ｇの光照射面Ｇｄでの照度を適正な照度とし、かつ、照度ムラを目立ち難くすることが可能な光軸距離Ｈを第３光軸距離Ｈ３とする。これらのことは、後述する第２実施形態についても同様である。
【０１４１】
図９は、光源基板２１３において、第１輝度ランクＲ１の発光素子２１２，…が第１輝度ランクＲ１に対応する第１配置パターン列ＰＴ１に配置されている状態の一部を示している。図１０は、光源基板２１３において、第２輝度ランクＲ２の発光素子２１２，…が第２輝度ランクＲ２に対応する第２配置パターン列ＰＴ２に配置されている状態の一部を示している。また、図１１は、光源基板２１３において、第３輝度ランクＲ３の発光素子２１２，…が第３輝度ランクＲ２に対応する配置パターン列ＰＴ３に配置されている状態の一部を示している。なお、図９から図１２までにおいて、第２電極配線パターンｐｔｅは図示を省略してある。
【０１４２】
図９に示すように、最も暗い第１輝度ランクＲ１の発光素子２１２，…が第１輝度ランクＲ１に対応する第１配置パターン列ＰＴ１に配置されているときには、発光素子２１２，…の光軸距離Ｈは第１光軸距離Ｈ１となる。従って、第１配置パターン列ＰＴ１に配置された発光素子２１２，…による原稿Ｇの光照射面Ｇｄでの照度を適正な照度とし、かつ、照度ムラを目立ち難くすることが可能となる。
【０１４３】
図１０に示すように、中間の明るさである第２輝度ランクＲ２の発光素子２１２，…が第２輝度ランクＲ２に対応する第２配置パターン列ＰＴ２に配置されているときには、発光素子２１２，…の光軸距離Ｈは第２光軸距離Ｈ２となる。従って、第２配置パターン列ＰＴ２に配置された発光素子２１２，…による原稿Ｇの光照射面Ｇｄでの照度を適正な照度とし、かつ、照度ムラを目立ち難くすることが可能となる。
【０１４４】
また、図１１に示すように、最も明るい第３輝度ランクＲ３の発光素子２１２，…が第３輝度ランクＲ２に対応する配置パターン列ＰＴ３に配置されているときには、発光素子２１２，…の光軸距離Ｈは第３光軸距離Ｈ３となる。従って、第３配置パターン列ＰＴ３に配置された発光素子２１２，…による原稿Ｇの光照射面Ｇｄでの照度を適正な照度とし、かつ、照度ムラを目立ち難くすることが可能となる。
【０１４５】
本第１実施形態においては、図９から図１１までに示すように、同一輝度ランクの発光素子２１２，…が対応する同一配置パターン列に一列に並んでいてもよいが、それに限定されるものではなく、異なる輝度ランクの発光素子２１２，…が対応する個々の配置パターン列に配置されていてもよい。
【０１４６】
図１２は、異なる輝度ランクの発光素子２１２，…が対応する個々の配置パターン列に配置されている状態を示している。
【０１４７】
図１２に示す例では、１枚の光源基板２１３において、第１ランクＲ１の発光素子２１２（図中上段の発光素子）が第１配置パターン列ＰＴ１に配置され、第２ランクＲ２の発光素子２１２（図中中段の発光素子）が第２配置パターン列ＰＴ２に配置され、また、第３ランクＲ３の発光素子２１２（図中下段の発光素子）が第３配置パターン列ＰＴ３に配置されている。
【０１４８】
本第１実施形態においては、Ｈ字状配置パターンｐｔは、副走査方向Ｙにおける隣り合う配置パターン列ＰＴ，ＰＴ間で一部分（ここでは連結部ｐｔｃ）が接続部ｐｔｆによって電気的に接続されている。こうすることで、図１２に示すように、異なる輝度ランクの発光素子を対応する個々の配置パターン列に配置していても、各発光素子２１２，…に対して通電させることができる。なお、各配置パターンｐｔのうち、主走査方向Ｘにおける両端の配置パターンｐｔは、第１電極配線パターンｐｔｄ及び第２電極配線パターンｐｔｅに電気的に接続されるため、該両端の配置パターンｐｔの接続部ｐｔｆは省略できる。また、図９から図１１までに示すように、同一輝度ランクの発光素子２１２，…が対応する配置パターン列に一列に並んでいる場合には、接続部ｐｔｆは省略してもよい。
【０１４９】
（第２実施形態）
第２実施形態において、第１実施形態と同様の構成要素には同一符号を付し、その説明を省略する。
【０１５０】
第２実施形態では、第１実施形態と同様、図４、図６及び図７に示すように、光源基板２１３は、配置面Ｆが原稿Ｇの光照射面Ｇｄに対して主走査方向Ｘに沿った軸線回りに傾斜するように配置されている。
【０１５１】
なお、光源基板２１３は、配置面Ｆが原稿Ｇの光照射面Ｇｄに対して直角又は平行になるように配置されていてもよい。この場合、発光素子２１２は、光軸Ｌの方向が光源基板２１３の配置面Ｆに対して傾斜するように（光照射領域Ｌｄ側へ向くように）光源基板２１３に配置されることが好ましい。
【０１５２】
図１３は、第２実施形態の光源基板２１３の概略構成を示す側面図である。この第２実施形態では、図１３（ａ）に示すように、光源基板２１３として、複数の輝度ランクＲ１，…，Ｒｎに応じて互いに異なる厚みｄ１，…，ｄｎの複数種類の基板２１３１〜２１３ｎが予め決められている。
【０１５３】
そして、各輝度ランクＲ１，…，Ｒｎの発光素子２１２，…は、複数種類の基板２１３のうち、該各輝度ランクＲ１，…，Ｒｎにそれぞれに対応する厚みの基板に配置される。
【０１５４】
かかる構成を備えた光源基板２１３では、例えば、図７に示すような頂面発光を行う場合のように光軸Ｌが配置面Ｆに対して垂直になっている場合には、光照射位置を維持したまま光軸距離Ｈとして複数の光軸距離Ｈ１，…，Ｈｎの何れかを設定変更することができる。すなわち、複数種類の基板２１３のうち、複数の輝度ランクＲ１，…，Ｒｎの何れかに基づき光軸距離Ｈとして複数の光軸距離Ｈ１，…，Ｈｎの何れかが設定された厚みの基板に該輝度ランクの発光素子２１２，…を配置することができる。また、光軸Ｌが配置面Ｆに対して垂直になっていない場合には、光軸距離Ｈと副走査方向Ｙの光照射位置とのうち少なくとも副走査方向Ｙの光照射位置を設定変更することができる。
【０１５５】
例えば、複数の輝度ランクＲ１，…，Ｒｎを第１輝度ランクＲ１から第３輝度ランクＲ３までとし、光源基板２１３として互いに異なる厚みｄ１〜ｄ３の第１から第３までの基板２１３１〜２１３３を予め用意しておく場合を例にとって以下に説明する。この場合、第１から第３までの輝度ランクＲ１〜Ｒ３に応じて光軸距離Ｈとして第１から第３までの光軸距離Ｈ１〜Ｈ３の何れかを設定変更することができる。
【０１５６】
図１３（ｂ）は、第１輝度ランクＲ１に対応する第１厚みｄ１の光源基板２１３１を示しており、図１３（ｃ）は、第２輝度ランクＲ２に対応する第２厚みｄ２の光源基板２１３２を示しており、図１３（ｄ）は、第３輝度ランクＲ３に対応する第３厚みｄ３の光源基板２１３３を示している。
【０１５７】
図１３（ｂ）に示すように、最も暗い第１輝度ランクＲ１の発光素子２１２，…が第１輝度ランクＲ１に対応する第１厚みｄ１（例えば６ｍｍ）の光源基板２１３１に配置されているときには、発光素子２１２，…の光軸距離Ｈは第１光軸距離Ｈ１となっている。従って、第１厚みｄ１（例えば６ｍｍ）の光源基板２１３１に配置された発光素子２１２，…による原稿Ｇの光照射面Ｇｄでの照度を適正な照度とし、かつ、照度ムラを目立ち難くすることができる。
【０１５８】
図１３（ｃ）に示すように、中間の明るさである第２輝度ランクＲ２の発光素子２１２，…が第２輝度ランクＲ２に対応する第２厚みｄ２（例えば４ｍｍ）の光源基板２１３２に配置されているときには、発光素子２１２，…の光軸距離Ｈは第２光軸距離Ｈ２となっている。従って、第２厚みｄ２（例えば４ｍｍ）の光源基板２１３２に配置された発光素子２１２，…による原稿Ｇの光照射面Ｇｄでの照度を適正な照度とし、かつ、照度ムラを目立ち難くすることができる。
【０１５９】
また、図１３（ｄ）に示すように、最も明るい第３輝度ランクＲ３の発光素子２１２…が第３輝度ランクＲ３に対応する第３厚みｄ３（例えば２ｍｍ）の光源基板２１３３に配置されているときには、発光素子２１２，…の光軸距離Ｈは第３光軸距離Ｈ３となっている。従って、第３厚みｄ３（例えば２ｍｍ）の光源基板２１３２に配置された発光素子２１２，…による原稿Ｇの光照射面Ｇｄでの照度を適正な照度とし、かつ、照度ムラを目立ち難くすることができる。
【０１６０】
光源基板２１３の厚みは、光源ユニット２１０における光源基板２１３の配置構成や発光素子の輝度の程度等の設計パラメータによって異なるため、適宜設定することができる。なお、連続する輝度ランク間で光源基板２１３の厚みの増分が一定であってもよいし、任意の値であってもよい。
【０１６１】
また、光源基板２１３としては、一般的に多く使用されている紙フェノール基板、紙エポキシ基板、ガラスエポキシ基板などの基板を例示できる。この他、アルミニウムや銅などの放熱用金属板に絶縁層は設けた基板を用いてもよい。但し、それに限定されるものではなく、光源基板２１３として何れのものも適宜選択することができる。
【０１６２】
（第１実施形態及び第２実施形態について）
以上説明したように、本第１実施形態及び第２実施形態では、例えば、第１から第３までの輝度ランクＲ１〜Ｒ３に基づき発光素子２１２，…を配置可能な構成とされているので、光源ユニット２１０の構成を大幅に変更しなくても、発光素子２１２，…を光源基板２１３に配置するだけで、光軸距離Ｈや光照射位置を容易に設定することができる。例えば、輝度ランクが低め（具体的には第１輝度ランクＲ１）の発光素子２１２，…を使用する場合において、原稿Ｇの光照射面Ｇｄでの照度を全体として向上させるには、発光素子２１２，…を原稿Ｇに容易に近づけて光源基板２１３に配置することができる。また、輝度ランクが高め（具体的には第３輝度ランクＲ３）の発光素子２１２，…を使用する場合において、原稿Ｇの光照射面Ｇｄでの照度ムラ（輝点）を目立ち難くするには、発光素子２１２，…を原稿Ｇから容易に遠ざけて光源基板２１３に配置することができる。これにより、一般に市販されている発光素子を広範囲な輝度ランクにわたって利用することができる。
【０１６３】
このように本第１実施形態及び第２実施形態によれば、光源ユニット２１０の構成を大幅に変更することなく、一般に市販されている発光素子を広範囲な輝度ランクにわたって利用でき、これにより低コスト化が実現された発光素子を用いることができる。
【０１６４】
また、第１実施形態及び第２実施形態では、光源基板２１３として輝度ランクＲ１〜Ｒ３基づき光軸距離Ｈ１〜Ｈ３や光照射位置を設定変更できる基板を用いる。このような基板を用いることにより、該基板によって光軸距離Ｈや光照射位置を容易に設定することができる。
【０１６５】
第１実施形態では、第１から第３までの輝度ランクＲ１〜Ｒ３に応じて第１から第３までの配置パターン列ＰＴ１〜ＰＴ３の何れかに発光素子２１２，…を配置することができる。これにより、簡単な構成で光軸距離Ｈや光照射位置を容易に設定することができる。
【０１６６】
第２実施形態では、第１からまでの第３輝度ランクＲ１〜Ｒ３に応じて第１から第３までの基板２１３１〜２１３３の何れかに発光素子２１２，…を配置することができる。これにより、簡単な構成で光軸距離Ｈや光照射位置を容易に設定することができる。
【０１６７】
また、第１実施形態及び第２実施形態においては、発光素子２１２，…のうち、輝度ランクの低い（例えば第１輝度ランクＲ１の）発光素子２１２は、輝度ランクの高い（例えば第３輝度ランクＲ３の）発光素子２１２よりも、原稿Ｇに近い位置に配置されている。こうすることで、輝度ランクの低め（例えば第１輝度ランクＲ１の）発光素子２１２，…に対しては、原稿Ｇの光照射面Ｇｄでの照度を向上させることができ、輝度ランクの高め（例えば第３輝度ランクＲ３の）発光素子２１２，…に対しては、原稿Ｇの光照射面Ｇｄでの主走査方向Ｘにおける照度ムラを目立ち難くすることができる。
【０１６８】
ところで、第１実施形態及び第２実施形態では、第１発光素子列２２０ａ及び第２発光素子列２２０ｂがスリットＲの短手方向の両側に配列されているので、発光素子２１２，…として、例えば、一方の発光素子列２２０ａにおいて、輝度ランクが低め（具体的には第１輝度ランクＲ１）の発光素子２１２を用いたとしても、該発光素子２１２の低めの輝度を該発光素子２１２に対向する他方の発光素子列２２０ｂにおける発光素子２１２によって補うことができる。これにより、一般に市販されている発光素子をさらに広範囲な輝度ランクにわたって利用することが可能となる。
【０１６９】
このように、発光素子２１２，…が第１発光素子列２２０ａと第２発光素子列２２０ｂとの２列に配置されている場合、各発光素子列２２０ａ，２２０ｂ間で互い対向する発光素子２１２，２１２（第１発光素子２１２ａ及び第２発光素子２１２ｂ）の双方の輝度に基づき、原稿Ｇの光照射面Ｇｄでの照度の程度や照度ムラが目立ち難い状態を確保できるように、該対向するそれぞれの発光素子２１２，２１２（第１発光素子２１２ａ及び第２発光素子２１２ｂ）の光軸距離Ｈを設定してもよい。例えば、互い対向する第１及び第２発光素子２１２ａ，２１２ｂの光軸距離Ｈを次のように設定することができる。
【０１７０】
図１４は、主走査方向Ｘに沿った発光素子列２２０ａが副走査方向Ｙに２列に並設されている場合の第１及び第２発光素子２１２ａ，２１２ｂの光軸距離Ｈの第１設定例を示す図である。図１５は、主走査方向Ｘに沿った発光素子列２２０ａ，２２０ｂが副走査方向Ｙに２列に並設されている場合の第１及び第２発光素子２１２ａ，２１２ｂの光軸距離Ｈの第２設定例を示す図である。なお、図１４及び図１５において、光源基板２１３等の部材は、図示を省略してある。
【０１７１】
図１４に示す第１設定例では、第１発光素子列２２０ａと第２発光素子列２２０ｂとの間で互いに対向する第１及び第２発光素子２１２ａ，２１２ｂは、輝度ランクが互いに異なっている。このように、互いに対向する第１及び第２発光素子２１２ａ，２１２ｂの輝度ランクが互いに異なっているものの、原稿Ｇの光照射面Ｇｄでの照度の程度や照度ムラが目立ち難い状態を確保できるのであれば、該対向する第１及び第２発光素子２１２ａ，２１２ｂの光軸距離Ｈが同じ長さ（図示例ではＨ３）としてもよい。
【０１７２】
また、図１５に示す第２設定例では、第１発光素子列２２０ａと第２発光素子列２２０ｂとの間で互いに対向する第１及び第２発光素子２１２ａ，２１２ｂは、輝度ランクが同一ランクとなっている。このように、互いに対向する第１及び第２発光素子２１２ａ，２１２ｂの輝度ランクが同一ランクとなっているものの、原稿Ｇの光照射面Ｇｄでの照度の程度や照度ムラが目立ち難い状態を確保できるのであれば、該対向する第１及び第２発光素子２１２ａ，２１２ｂの光軸距離Ｈが互いに異なる長さ（図示例ではＨ１＜Ｈ３）としてもよい。
【０１７３】
また、前記の第１実施形態及び第２実施形態において、第１及び第２発光素子２１２ａ，２１２ｂに対する輝度ランクの付けは、各メーカでランク付けされた輝度ランクをそのまま用いてもよいし、各メーカでランク付けされた輝度ランクに基づきランク付けし直してもよい。例えば、異なるメーカの発光素子を使用する場合、各メーカでランク付けされた輝度ランクに対して共通で使用するための輝度ランクにランク付けし直してもよい。また、ランク付けされた連続する複数の（例えば２つ又は３つの）輝度ランクを一つのランクにまとめてランク付けし直してもよい。
【０１７４】
本第１実施形態及び第２実施形態においては、原稿台ガラス２０１ａに載置された原稿Ｇの画像を読み取る際に表れやすい影の発生を抑制するために光源ユニット２１０を次のように構成することができる。
【０１７５】
図１６は、原稿台ガラス２０１ａに載置された原稿Ｇの画像を読み取る際に表れやすい影ＳＤを説明するための説明図である。
【０１７６】
図１６に示す光源ユニット２１０は、第１発光素子列２２０ａ及び第２発光素子列２２０ｂがスリットＲの短手方向の両側に配列された図４に示す構成とされている。そうすると、原稿台ガラス２０１ａに載置された原稿Ｇの画像を読み取る際に、該原稿Ｇの副走査方向Ｙの一方側Ｙ３へ向かう方向における上流側端に影ＳＤが表れやすい。この影ＳＤの発生は、特に原稿Ｇが厚手の場合に顕著となる。
【０１７７】
かかる観点から、第１発光素子列２２０ａ及び第２発光素子列２２０ｂのうち、副走査方向Ｙの一方側Ｙ３へ向かう方向において、上流側の発光素子列２２０ａは、該上流側の発光素子列２２０ａによる原稿Ｇの光照射面Ｇｄでの照度が下流側の発光素子列２２０ｂによる原稿Ｇの光照射面Ｇｄでの照度よりも大きくされている。これにより、原稿台ガラス２０１ａに載置された原稿Ｇの画像を読み取る際に表れやすい影ＳＤの発生を抑制することができる。
【０１７８】
なお、影ＳＤの発生を抑制するための光源ユニット２１０として、ここでは、図４に示す構成の光源ユニットを例示したが、第１発光素子列２２０ａ及び第２発光素子列２２０ｂが配列されている構成であればよく、例えば、図７（ａ）に示す構成の光源ユニットに適用してもよい。
【０１７９】
ところで、ＬＥＤなどの発光素子は所定方向に強い指向特性を有しているため、原稿Ｇの光照射面Ｇｄで発光素子２１２，…のピッチに対応する照度ムラが発生しやすい。
【０１８０】
例えば、発光素子２１２，…のピッチが大きくなるに従い原稿Ｇの光照射面Ｇｄの照度ムラが目立ちやすくなる。このため、前記ピッチを小さくすることが好ましいが、前記ピッチを小さくすると、必要な発光素子の数が多くなり、それだけコストアップを招くことになる。
【０１８１】
また、発光素子２１２，…の原稿Ｇへの光軸距離Ｈが短くなるに従い照度ムラが目立ちやすくなる。このため、光軸距離Ｈを長くすることが好ましいが、光軸距離Ｈを長くすると、原稿Ｇの光照射面Ｇｄでの照度が小さくなるため、その分発光素子の光量を増加させる必要がある。
【０１８２】
従って、発光素子２１２，…による原稿Ｇの光照射面Ｇｄでの照度ムラを軽減した状態で、発光素子２１２，…からの光を効率よく原稿Ｇの光照射面Ｇｄに照射するように発光素子２１２，…のピッチと発光素子２１２，…の原稿Ｇへの光軸距離との関係を最適なものにでき、さらに汎用的に利用することができることが好ましい。
【０１８３】
そこで、第１実施形態及び第２実施形態の光源ユニット２１０では、次のように構成している。
【０１８４】
図１７は、第１発光素子２１２ａ，…及び第２発光素子２１２ｂ，…による原稿Ｇの光照射面Ｇｄでのムラ［％］Ｍ及びムラ間距離［ｍｍ］Ｎを説明するための図であって、主走査方向Ｘの照度周期Ｔにおいて明暗の繰り返しを示す図である。
【０１８５】
この照度周期Ｔにおいて、ムラ［％］Ｍは、照度の最大値Ｌ１［ｌｘ（ルクス）］から照度の最小値Ｌ２［ｌｘ］を差し引いた値を照度の平均（中央値）値Ｌ３［ｌｘ］で割ったもの（（Ｌ１−Ｌ２）／Ｌ３［％］）であり、ムラ間距離［ｍｍ］Ｎは、照度周期Ｔの半周期Ｔ／２である。なお、振幅［％］をＫとすると、振幅［％］Ｋは、照度の最大値Ｌ１［ｌｘ］から照度の平均値Ｌ３［ｌｘ］を差し引いた値を照度の平均値Ｌ３［ｌｘ］で割ったもの（（Ｌ１−Ｌ３）／Ｌ３［％］）である。
【０１８６】
そして、発光素子ピッチＰ（以下、ＬＥＤピッチＰという）［ｍｍ］と、発光素子から原稿Ｇの光照射領域Ｌｄまでの光軸Ｌの距離である光軸距離Ｈ［ｍｍ］とが、Ｍ≦Ｎ／２−５．５の関係、より好ましくは、Ｍ≦Ｎ／２−７．５の関係を満たすように設定されている。
【０１８７】
次に、これらの関係を導き出した照度ムラ判定評価について、以下に説明する。
【０１８８】
［照度ムラ判定評価］
照度ムラ判定評価では、図１７に示すようなサインカーブに基づいて照度周期Ｔ及び振幅［％］Ｋの値を変更した１９パターンの画像を作成した。ここでは、画像はパーソナルコンピュータを用いて作成し、プリンタを用いて印刷した。印刷画像の色調はグレーとした。
【０１８９】
こうして作成した各種の印刷画像について、多数の被検者に目視で確認してもらい、印刷画像上の濃度ムラ（照度ムラに対応する濃度ムラ）が許容可能かどうかの判定を行った。その判定結果を図１８及び図１９に示す。
【０１９０】
図１８は、照度周期Ｔ、振幅［％］Ｋ、これらの値から算出したムラ間距離［ｍｍ］Ｎ及びムラ［％］Ｍ並びにその印刷画像の判定結果を一覧で表した図である。また、図１９は、図１８に示す値を基にムラ［％］Ｍを縦軸に、ムラ間距離［ｍｍ］Ｎを横軸にして作成したグラフである。
【０１９１】
なお、図１８の判定欄中及び図１９のグラフ中において「○」は「濃度ムラ（照度ムラ）を十分許容できる判定」、「△」は「濃度ムラ（照度ムラ）を許容できる限界の判定」、「×」は「濃度ムラ（照度ムラ）を許容できない判定」を示している。
【０１９２】
図１９に示すように、Ｎ／２−５．５（図中β参照）＜Ｍの範囲で濃度ムラ（照度ムラ）を許容できない判定（「×」判定）がなされており、Ｎ／２−７．５（図中γ参照）＜Ｍ≦Ｎ／２−５．５の範囲（図中粗い網掛け参照）で濃度ムラ（照度ムラ）を許容できる限界の判定（「△」判定）がなされており、Ｍ≦Ｎ／２−７．５の範囲（図中細かい網掛け参照）で濃度ムラ（照度ムラ）を十分許容できる判定（「○」判定）がなされている。
【０１９３】
従って、ＬＥＤピッチＰ及び光軸距離Ｈが、Ｎ／２−７．５＜Ｍ≦Ｎ／２−５．５の関係を満たすように設定されることで、原稿Ｇの光照射面Ｇｄでの照度ムラを許容できる程度に抑制でき、さらに、Ｍ≦Ｎ／２−７．５の関係を満たすように設定されることで、原稿Ｇの光照射面Ｇｄでの照度ムラを効果的に防止でき、しかも、汎用的な利用が可能である。
【０１９４】
そして、この状態において、発光素子からの光を効率よく原稿Ｇの光照射面Ｇｄに照射するように発光素子ピッチＰ及び光軸距離Ｈの関係を最適なものにすることができる。例えば、光軸距離Ｈに対して発光素子の数量が可及的に少なくなる発光素子ピッチＰの値に設定することができ、或いは、発光素子ピッチＰに対して原稿Ｇの光照射面Ｇｄでの照度が可及的に大きくなる光軸距離Ｈの値に設定することができる。
【０１９５】
次に、ムラ［％］Ｍ及びムラ間距離［ｍｍ］Ｎを解析して（ＬＥＤピッチＰ）／（光軸距離Ｈ）の範囲を特定する解析シミュレーションについて、以下に説明する。
【０１９６】
［解析シミュレーション］
解析シミュレーションでは、解析シミュレーションソフト（Optical Research Associates社製Light Tools（登録商標））を用いてコンピュータ上で仮想的な画像読取装置を実現し、ＬＥＤピッチＰ（４ｍｍ〜２４ｍｍ）及び光軸距離Ｈ（４ｍｍ〜１９ｍｍ）の値を様々に変更してムラ［％］Ｍ及びムラ間距離［ｍｍ］Ｎを解析し、こうして解析したムラ［％］Ｍ及びムラ間距離［ｍｍ］Ｎに対して図１９に示す判定基準に基づいてＰ／Ｈの値を判定した。
【０１９７】
なお、この解析シミュレーションで用いたＬＥＤピッチＰ及び光軸距離Ｈの数例の値について、実機の画像読取装置にて設定して確認したところ、この解析シミュレーションとほぼ同等のムラ［％］Ｍ及びムラ間距離［ｍｍ］Ｎが得られた。このことから、解析シミュレーションソフトを用いてコンピュータ上で実現した仮想的な画像読取装置は、実機の画像読取装置とほぼ同等であることが確認できた。
【０１９８】
図２０は、解析シミュレーションの条件を説明するための図である。この解析シミュレーションでは、図２０に示すように、光源２１１として、頂面発光を行う発光面Ｅ２を有する２０個のＬＥＤ素子２１２を一列に列設した単列構成のものとし、光軸Ｌが原稿Ｇの光照射面Ｇｄに対して垂直になるように配置したものとした。また、ＬＥＤ素子２１２の単体（１個）の光束は７．８１［ｌｍ（ルーメン）］（光度１９００［ｍｃｄ（ミリカンデラ）］）とした。
【０１９９】
図２１から図２３までは、解析シミュレーションで用いたＬＥＤピッチＰの一部の値において、光軸距離Ｈの一部の値での主走査方向の距離［ｍｍ］に対する原稿Ｇの光照射面Ｇｄでの照度［ｌｘ］を例示したグラフである。図２１（ａ）及び図２１（ｂ）は、ＬＥＤピッチＰをそれぞれ８ｍｍ及び１０ｍｍとしたグラフを示しており、図２２（ａ）及び図２２（ｂ）は、ＬＥＤピッチＰをそれぞれ１２ｍｍ及び１４ｍｍとしたグラフを示しており、図２３（ａ）及び図２３（ｂ）は、ＬＥＤピッチＰをそれぞれ１６ｍｍ及び１８ｍｍとしたグラフを示している。なお、図２１から図２３までの各グラフでは光軸距離Ｈとして６ｍｍ、８ｍｍ、１０ｍｍ、１２ｍｍ、１４ｍｍ、１６ｍｍ、１８ｍｍを例示している。その他のグラフは図示を省略している。
【０２００】
このうち、ＬＥＤピッチＰを１６ｍｍとした図２３（ａ）のグラフを用いて、光軸距離Ｈを６ｍｍとした照度ムラを自動判定する例を以下に説明する。
【０２０１】
図２４は、ＬＥＤピッチＰを１６ｍｍ、光軸距離Ｈを６ｍｍとして、単列構成の発光素子を用いた場合のムラ［％］Ｍを説明するための図である。
【０２０２】
ＬＥＤピッチＰが１６ｍｍ、光軸距離Ｈが６ｍｍの場合、図２４のグラフから、原稿Ｇの光照射面Ｇｄでの照度の最大値Ｌ１は４００００［ｌｘ］、最小値Ｌ２は２００００［ｌｘ］、平均値Ｌ３は３００００［ｌｘ］である。これらの値を図１７で説明したムラ［％］Ｍの式（Ｌ１−Ｌ２）／Ｌ３に代入すると、ムラ［％］Ｍは６６．７［％］となる。また、ＬＥＤピッチＰが１６ｍｍであるのでムラ間距離［ｍｍ］Ｎは８ｍｍとなる。
【０２０３】
こうして得られたムラ［％］Ｍ＝６６．７［％］及びムラ間距離［ｍｍ］Ｎ＝８ｍｍは、図１９に示すムラ［％］Ｍとムラ間距離［ｍｍ］Ｎとの関係を示すグラフに当てはめると、Ｎ／２−５．５（図中β参照）＜Ｍの範囲となる。従って、Ｐ／Ｈ（１６ｍｍ／６ｍｍ＝２．６７）は、照度ムラを許容できない判定（×判定）とされる。このようにして、他の値についても同様の行った結果が図２５及び図２６に示す表である。
【０２０４】
図２５は、ＬＥＤピッチＰを４ｍｍ〜１１ｍｍの１ｍｍ刻みの値とし、光軸距離Ｈを４ｍｍ〜２４ｍｍの１ｍｍ刻みの値とした場合でのＰ／Ｈの判定結果を示している。また、図２６は、ＬＥＤピッチＰを１２ｍｍ〜１９ｍｍの１ｍｍ刻みの値とし、光軸距離Ｈを４ｍｍ〜２４ｍｍの１ｍｍ刻みの値とした場合でのＰ／Ｈの判定結果を示している。
【０２０５】
図２５及び図２６に示すように、Ｐ／Ｈ＞０．８３の関係を満たすとき、照度ムラを許容できない判定（×判定）とされ、０．７１＜Ｐ／Ｈ≦０．８３の関係を満たすとき、照度ムラを許容できる限界の判定（△判定）とされ、Ｐ／Ｈ≦０．７１の関係を満たすとき、照度ムラを十分許容できる判定（○判定）とされている。
【０２０６】
以上のことから、発光素子ピッチＰ及び光軸距離ＨがＰ／Ｈ≦０．８３の関係を満たすことで照度ムラを抑制できることが分かった。これにより、発光素子ピッチＰ及び光軸距離Ｈを設定するにあたり、Ｐ／Ｈ≦０．８３の関係式に発光素子ピッチＰ又は光軸距離Ｈを代入するだけで済むので、Ｍ≦Ｎ／２−５．５の関係を満たすように発光素子ピッチＰ及び光軸距離Ｈの一方から他方を容易に設定することができる。例えば、発光素子ピッチＰを代入して光軸距離Ｈを求めるときは、原稿Ｇの光照射面Ｇｄでの照度を可及的に大きくするという観点から光軸距離Ｈは（Ｐ／０．８３）の値又は（Ｐ／０．８３）以上でかつその値に可及的に近い値とすればよい。一方、光軸距離Ｈを代入して発光素子ピッチＰを求めるときは、発光素子の数量を可及的に少なくするという観点から発光素子ピッチＰは（Ｈ×０．８３）の値又は（Ｈ×０．８３）以下でかつその値に可及的に近い値とすればよい。
【０２０７】
また、発光素子ピッチＰ及び光軸距離ＨがＰ／Ｈ≦０．７１の関係を満たすことで照度ムラを効果的に防止できることが分かった。これにより、発光素子ピッチＰ及び光軸距離Ｈを設定するにあたり、Ｐ／Ｈ≦０．７１の関係式に発光素子ピッチＰ又は光軸距離Ｈを代入するだけで済むので、Ｍ≦Ｎ／２−７．５の関係を満たすように発光素子ピッチＰ及び光軸距離Ｈの一方から他方を容易に設定することができる。例えば、発光素子ピッチＰを代入して光軸距離Ｈを求めるときは、原稿Ｇの光照射面Ｇｄでの照度を可及的に大きくするという観点から光軸距離Ｈは（Ｐ／０．７１）の値又は（Ｐ／０．７１）以上でかつその値に可及的に近い値とすればよい。一方、光軸距離Ｈを代入して発光素子ピッチＰを求めるときは、発光素子の数量を可及的に少なくするという観点から発光素子ピッチＰは（Ｈ×０．７１）の値又は（Ｈ×０．７１）以下でかつその値に可及的に近い値とすればよい。
【０２０８】
なお、ここでの解析シミュレーションは、図２０に示すような単列構成の発光素子として行ったが、ムラ［％］Ｍ及びムラ間距離［ｍｍ］Ｎを形成し得る発光素子の配置構成であれば何れのものであっても適用することができる。
【０２０９】
また、図５に示すような同一ピッチ位置構成の（単列構成に比べ照度が２倍の）発光素子として解析シミュレーションを行ってもシミュレーション結果は変わらない。
【０２１０】
図２７は、ＬＥＤピッチＰを１６ｍｍ、光軸距離Ｈを６ｍｍとした図２４の条件において、図５に示す同一ピッチ位置構成の（単列構成に比べ照度が２倍の）発光素子を用いた場合のムラ［％］Ｍを説明するための図である。
【０２１１】
図２７に示すように、同一ピッチ位置構成の発光素子では、原稿Ｇの光照射面Ｇｄでの照度の最大値Ｌ１は８００００［ｌｘ］、最小値Ｌ２は４００００［ｌｘ］、平均値Ｌ３は６００００［ｌｘ］となる。これらの値を図１７で説明したムラ［％］Ｍの式（Ｌ１−Ｌ２）／Ｌ３に代入すると、ムラ［％］Ｍは６６．７［％］となる。
【０２１２】
このように、図５に示す同一ピッチ位置構成の発光素子としたとしても、図２４に示す単列構成の発光素子と同じムラ［％］Ｍとなる。従って、図５に示すような同一ピッチ位置構成の（単列構成に比べ照度が２倍の）発光素子として解析シミュレーションを行ったとしても、単列構成の場合と同じ結果となる。
【０２１３】
また、解析シミュレーションでは、ＬＥＤ素子２１２の単体（１個）の光束は７．８１［ｌｍ］（光度１９００［ｍｃｄ］）で設定したが、この値よりも大きくなった場合、或いは、小さくなった場合においても、上記と同様の理由により、ムラＭ（％）は同じ結果となる。
【０２１４】
つまり、発光素子の配置構成や光量に拘わらず、Ｐ／Ｈ≦０．８３を満足しておけば、照度ムラを実用に耐え得る程度に抑制することが可能となり、さらにＰ／Ｈ≦０．７１を満足しておけば、照度ムラを有効に防止することが可能となる。
【０２１５】
図１及び図２に示す画像読取装置１００において、光源２１１は、原稿台２０１ａ，２０１ｂを介して原稿Ｇを直接照射することができる。従って、従来の照明装置で原稿と光源との間に設けていたような拡散部材を設けなくても照度ムラを抑制できるので、製造コストの増大を招くことがなく、しかも光源２１１からの光が原稿Ｇへ照射される際の光量ロスを回避することができ、例えば、発光素子の光量を上げなくても、原稿Ｇの読み取り速度が比較的速い画像読取装置にも適用することが可能となる。
【符号の説明】
【０２１６】
１００                  画像読取装置
２０１ａ                原稿載置台（原稿台ガラス）
２１０                  光源ユニット（照明装置の一例）
２１２                  発光素子
２１２ａ                第１発光素子
２１２ｂ                第２発光素子
２１３                  光源基板（基板の一例）
２１３１，…，２１３ｎ  光源基板（基板の一例）
２２０ａ                第１発光素子列
２２０ｂ                第２発光素子列
ｄ１，…，ｄｎ          厚み
Ｄ                      画像形成装置
Ｇ                      原稿（被照射体の一例）
Ｇｄ                    光照射面
Ｈ                      光軸距離
Ｐ                      発光素子ピッチ
ＰＴ１，…，ＰＴｎ      配置パターン列
ｐｔ１１，…，ｐｔｍｎ  配置パターン
Ｒ                      スリット
Ｒ１，…，Ｒｎ          輝度ランク
Ｘ                      主走査方向
Ｙ                      副走査方向
Ｙ３                    副走査方向Ｙの一方側
【図１】
2011034848.tif 000003
【図２】
2011034848.tif 000004
【図３】
2011034848.tif 000005
【図４】
2011034848.tif 000006
【図５】
2011034848.tif 000007
【図６】
2011034848.tif 000008
【図７】
2011034848.tif 000009
【図８】
2011034848.tif 000010
【図９】
2011034848.tif 000011
【図１０】
2011034848.tif 000012
【図１１】
2011034848.tif 000013
【図１２】
2011034848.tif 000014
【図１３】
2011034848.tif 000015
【図１４】
2011034848.tif 000016
【図１５】
2011034848.tif 000017
【図１６】
2011034848.tif 000018
【図１７】
2011034848.tif 000019
【図１８】
2011034848.tif 000020
【図１９】
2011034848.tif 000021
【図２０】
2011034848.tif 000022
【図２１】
2011034848.tif 000023
【図２２】
2011034848.tif 000024
【図２３】
2011034848.tif 000025
【図２４】
2011034848.tif 000026
【図２５】
2011034848.tif 000027
【図２６】
2011034848.tif 000028
【図２７】
2011034848.tif 000029
【図２８】
2011034848.tif 000030
【図２９】
2011034848.tif 000031
【図３０】
2011034848.tif 000032